(57)【特許請求の範囲】
【請求項１】
表面に制御用の電子部品及び記憶されたプログラムに従って遊技に関する制御を行う制御デバイスが実装される制御基板と、当該制御基板を内部に収納するための透明な基板ボックスと、を有する制御装置を備えた遊技機において、
前記基板ボックスは、
前記制御基板を内部に収納するための閉止空間を画成することが可能な第１ケース部材及び第２ケース部材と、
前記制御デバイスが視認可能となる状態で前記第１ケース部材及び前記第２ケース部材に跨るように貼着されるシールと、を備え、
前記第２ケース部材は、
前記制御基板の端部との間に第１の間隙を形成した状態で、当該制御基板の外周を囲繞することが可能な外周囲繞部と、
前記制御デバイスとの間に第２の間隙を形成した状態で、当該制御デバイスを囲繞することが可能な囲繞カバー部と、を備え、
前記第１の間隙よりも前記第２の間隙が大きくなるよう設定したことを特徴とする遊技機。
【発明の詳細な説明】
【技術分野】
【０００１】
本発明は、表面に制御用の電子部品及び記憶されたプログラムに従って遊技に関する制御を行う制御デバイスが実装される制御基板と、当該制御基板を内部に収納するための透明な基板ボックスと、を有する制御装置を備えた遊技機に関する。
【背景技術】
【０００２】
従来の遊技機、例えばパチンコ遊技機やスロットマシンなどにおいては、遊技プログラムに基づいて遊技を制御する制御装置を備えており、当該制御装置により各種の被制御装置を制御して遊技を行うよう構成されている。
【０００３】
このような制御装置は、遊技プログラムが記憶された遊技用マイクロコンピュータ（制御デバイス）を含む各種電子部品を搭載した制御基板を、複数のケース部材（上蓋となる収納部材や下蓋となるベース部材）で構成される基板ボックス内に収納している。
【０００４】
そして、ケース部材に制御デバイスの周囲を囲繞することが可能な囲繞カバー部を設けるとともに、ケース部材同士の接合部分（重合部分）に設けられた封止手段（所謂かしめ）をワンウェイねじ等の固着部材により固着することで、封止手段を破壊しなければ基板ボックスを開封（開放）できないよう構成されている（例えば、特許文献１）。
【先行技術文献】
【特許文献】
【０００５】
【特許文献１】特開２００９−１６５５７３号公報
【発明の概要】
【発明が解決しようとする課題】
【０００６】
ところで、上記した特許文献１記載の遊技機においては、ケース部材に対する制御基板の取り付け時において制御デバイスが囲繞カバー部に衝接してしまって、破損や故障等の不都合が発生する可能性がある。
【０００７】
そこで、本発明は上記した問題点を解決するためになされたものであり、ケース部材に対する制御基板の取り付け時に制御デバイスが破損したり故障したりする不都合を回避することが可能な遊技機を提供することを目的とする。
【課題を解決するための手段】
【０００８】
以上の課題を解決するため、請求項１に記載の発明は、
表面に制御用の電子部品及び記憶されたプログラムに従って遊技に関する制御を行う制御デバイスが実装される制御基板と、当該制御基板を内部に収納するための透明な基板ボックスと、を有する制御装置を備えた遊技機において、
前記基板ボックスは、
前記制御基板を内部に収納するための閉止空間を画成することが可能な第１ケース部材及び第２ケース部材と、
前記制御デバイスが視認可能となる状態で前記第１ケース部材及び前記第２ケース部材に跨るように貼着されるシールと、を備え、
前記第２ケース部材は、
前記制御基板の端部との間に第１の間隙を形成した状態で、当該制御基板の外周を囲繞することが可能な外周囲繞部と、
前記制御デバイスとの間に第２の間隙を形成した状態で、当該制御デバイスを囲繞することが可能な囲繞カバー部と、を備え、
前記第１の間隙よりも前記第２の間隙が大きくなるよう設定したことを特徴とする。
【０００９】
請求項１に記載の発明によれば、ケース部材に対する制御基板の取り付け時に制御デバイスが破損したり故障したりする不都合を回避することが可能となる。
【００１０】
本出願に係る他の発明は、
表面に遊技制御用の電子部品及びコネクタが実装される制御基板と、当該制御基板を内部に収納するための基板ボックスと、を有する制御装置を備え、
予め記憶された固有の識別情報を発信可能な電子タグを有する電子タグシールを前記基板ボックスに貼着する遊技機において、
前記基板ボックスは、
前記制御基板を収納するための閉止空間を画成する第１ケース部材及び第２ケース部材と、
前記第１ケース部材と前記第２ケース部材とを合体させて前記閉止空間を画成する閉止状態を保持したまま、前記第１ケース部材と前記第２ケース部材とを離反不能に結合することが可能な封止手段と、
前記電子タグシールを貼着するための貼着領域と、を備え、
前記封止手段は、
前記第１ケース部材から外側に向けて突設される第１固着部と、
前記閉止状態において前記第１固着部と重合するよう前記第２ケース部材から外側に向けて突設される第２固着部と、
前記第１固着部と前記第２固着部とを重合した状態で固着するための固着部材と、を備え、
前記貼着領域は、前記第１固着部と前記第２固着部とに跨って形成されていることを特徴とする。
【００１１】
この発明によれば、貼着領域が第１固着部と第２固着部とに跨って形成されており、貼着領域を専用に確保する必要がないので、効率よく基板ボックスに電子タグシールを貼着することができる。
また、貼着領域が第１固着部と第２固着部とに跨って形成されているので、第１ケース部材と第２ケース部材との結合を解除（すなわち、基板ボックスを開封）するために第１固着部と第２固着部との重合を解除すると、当該重合部分で電子タグシールが破損することになる。そのため、第１固着部と第２固着部との重合解除による基板ボックスの不正開封を抑制できるとともに、第１固着部と第２固着部との重合解除による基板ボックスの不正開封を発見し易くすることができる。
【００１２】
本出願に係る他の発明は、上記遊技機において、
前記第１固着部の外面及び前記第２固着部の外面は、前記閉止状態において互いに面一となるよう設定され、
前記貼着領域は、前記第１固着部の外面と前記第２固着部の外面とに跨って形成されていることを特徴とする。
【００１３】
この発明によれば、貼着領域が互いに面一の第１固着部の外面と第２固着部の外面とに跨って形成されているので、封止手段を破壊（すなわち、第１固着部と第２固着部とのうちの少なくとも何れか一方の破壊）に伴い、電子タグシールが破損し易くなる。そのため、封止手段の破壊による基板ボックスの不正開封を抑制できるとともに、封止手段の破壊による基板ボックスの不正開封を発見し易くすることができる。
【００１４】
本出願に係る他の発明は、上記遊技機において、
前記第１固着部及び前記第２固着部は、
前記第１ケース部材と前記第２ケース部材とを最初に結合するための主固着部と、
前記主固着部による結合の解除後に前記第１ケース部材と前記第２ケース部材とを再結合するための副固着部と、をそれぞれ備え、
前記貼着領域は、前記主固着部と前記副固着部とに跨って形成されていることを特徴とする。
【００１５】
この発明によれば、貼着領域が主固着部と副固着部とに跨って形成されているので、第１ケース部材と第２ケース部材との最初の結合を解除するために主固着部を破壊すると、電子タグシールも破損することになる。そのため、第１ケース部材と第２ケース部材との最初の結合解除による基板ボックスの不正開封を抑制できるとともに、第１ケース部材と第２ケース部材との最初の結合解除による基板ボックスの不正開封を発見し易くすることができる。
【００１６】
本出願に係る他の発明は、上記遊技機において、
前記電子タグは、前記識別情報を記憶するチップ部と、当該チップ部が記憶する識別情報を発信可能なアンテナ部と、を有し、
前記電子タグシールは、前記第１固着部と前記第２固着部との重合境界と、前記電子タグと、が交差する状態で前記貼着領域に貼着されていることを特徴とする。
【００１７】
この発明によれば、電子タグが第１固着部と第２固着部との重合境界と交差しているので、第１ケース部材と第２ケース部材との結合を解除（すなわち、基板ボックスを開封）するために第１固着部と第２固着部との重合を解除すると、当該重合部分で電子タグが破損することになる。電子タグが破損すると、通信状態が悪くなり、識別情報が発信され難くなったり発信されなくなったりするため、所定の読取装置を電子タグシールにかざすだけで、電子タグが破損しているか否か（すなわち、基板ボックスが不正開封されたか否か）を検査することができる。そのため、第１固着部と第２固着部との重合解除による基板ボックスの不正開封を抑制できるとともに、第１固着部と第２固着部との重合解除による基板ボックスの不正開封を発見し易くすることができる。
【００１８】
本出願に係る他の発明は、上記遊技機において、
前記第１固着部及び前記第２固着部は、前記主固着部と前記副固着部とを分離可能に連結する脆弱部を備え、
前記電子タグシールは、前記脆弱部と前記電子タグとが交差する状態で前記貼着領域に貼着されていることを特徴とする。
【００１９】
この発明によれば、電子タグが脆弱部と交差しているので、脆弱部を破壊して主固着部を副固着部から切り離すと、当該脆弱部で電子タグが破損することになる。電子タグが破損すると、通信状態が悪くなり、識別情報が発信され難くなったり発信されなくなったりするため、所定の読取装置を電子タグシールにかざすだけで、電子タグが破損しているか否か（すなわち、基板ボックスが不正開封されたか否か）を検査することができる。そのため、脆弱部の破壊による基板ボックスの不正開封を抑制できるとともに、脆弱部の破壊による基板ボックスの不正開封を発見し易くすることができる。
【００２０】
本出願に係る他の発明は、上記遊技機において、
前記基板ボックスは、前記貼着領域に貼着された前記電子タグシールを保護するための保護カバー部材を備え、
前記保護カバー部材は、その内部に前記封止手段を収納した状態で前記電子タグシールを被覆することを特徴とする。
【００２１】
この発明によれば、電子タグシールを保護するための保護カバー部材を備えているので、電子タグシールの不意の破損を防止することができる。
また、封止手段は、保護カバー部材の内部に収納されており、外部から認識し難いので、封止手段の破壊による基板ボックスの不正開封を抑制できる。
【００２２】
本出願に係る他の発明は、上記遊技機において、
前記第１ケース部材は、一側部に前記表面を上に向けた状態の前記制御基板を側方から挿入可能な挿入開口を有する凹室状の収納空間を画成し、
前記第２ケース部材は、前記第１ケース部材と合体した状態で前記挿入開口の縁部と接合して当該挿入開口を閉塞することが可能な開口閉塞部を有するとともに、前記制御基板を取り付け可能であり、
前記挿入開口を介して前記第２ケース部材に取り付けられた前記制御基板を前記収納空間内に臨ませて前記基板ボックスを前記閉止状態へ変換すると、前記挿入開口が前記開口閉塞部で閉塞されることにより前記収納空間が閉止されて前記閉止空間が画成されることを特徴とする。
【００２３】
この発明によれば、制御基板を第２ケース部材に取り付けた状態で基板ボックスを閉止状態に変換するだけで、挿入開口を介して制御基板を収納空間部内へスライド挿入することができる。
また、第１ケース部材の一側部に設けられた挿入開口が前記開口閉塞部で閉塞されることにより前記収納空間が閉止されて前記閉止空間が画成される。すなわち、第１ケース部材と第２ケース部材との接合部分は、基板ボックスの一側部のみに形成されるので、基板ボックスが上方に開口する下蓋と下方に開口する上蓋とからなり基板ボックスの側部全域（四周）に亘って接合部分が形成される場合と比較して、接合部分を少なくすることができる。そのため、容易に隙間を生じさせることができなくなるので、接合部分に生じた隙間に薄板状の工具等が挿入されることで基板ボックスが不正にこじ開けられてしまったり、接合部分に生じた隙間から針金やピアノ線などが挿入されることで制御基板への不正アクセスが行われてしまったりする可能性が低くなる。
したがって、基板ボックスの組み付け作業を複雑にすることなく、制御基板への不正行為を十分に抑制することが可能となる。
【００２４】
本出願に係る他の発明は、上記遊技機において、
前記電子部品には、記憶された遊技プログラムに従って遊技の制御を行う遊技用マイクロコンピュータと、実装時の高さが当該遊技用マイクロコンピュータよりも低い面実装部品と、が含まれていることを特徴とする。
【００２５】
この発明によれば、遊技用マイクロコンピュータ以外のその他の電子部品が面実装部品である。そのため、基板ボックスの厚みを抑制することができるので、基板ボックスの薄型化が可能となる。
【発明の効果】
【００２６】
本発明によれば、ケース部材に対する制御基板の取り付け時に制御デバイスが破損したり故障したりする不都合を回避することが可能となる。
【図面の簡単な説明】
【００２７】
【図１】本発明に係る遊技機の一実施形態を示す斜視図である。
【図２】図１の遊技機の背面図である。
【図３】遊技制御装置の上面側から見た斜視図である。
【図４】遊技制御装置の上面側から見た分解斜視図である。
【図５】（ａ）第１ケース部材を上面側から見た斜視図、（ｂ）第１ケース部材を下面側から見た斜視図である。
【図６】（ａ）第１ケース部材を上面側から見た断面図であり、右第１固着部及び右側の前第１固着部の近傍を拡大した図、（ｂ）第１ケース部材を上面側から見た断面図であり、左第１固着部及び左側の前第１固着部の近傍を拡大した図である。
【図７】（ａ）第１ケース部材を上面側から見た斜視図であり、露出用切欠部の近傍を拡大した図、（ｂ）第１ケース部材を後側面側から見た断面図であり、露出用切欠部の近傍を拡大した図である。
【図８】（ａ）第２ケース部材を上面側から見た斜視図、（ｂ）第２ケース部材を下面側から見た斜視図である。
【図９】（ａ）第２ケース部材を上面側から見た断面図であり、右第２固着部及び右側の前第２固着部の近傍を拡大した図、（ｂ）第２ケース部材を上面側から見た断面図であり、左第２固着部及び左側の前第２固着部の近傍を拡大した図である。
【図１０】（ａ）第２ケース部材を上面側から見た斜視図であり、囲繞カバー部の近傍を拡大した図（ｂ）第２ケース部材を後側面側から見た断面図であり、囲繞カバー部の近傍を拡大した図、（ｃ）第２ケース部材を右側面側から見た断面図である。
【図１１】（ａ）第２ケース部材を下面側から見た斜視図であり、コネクタ用開口の近傍を拡大した図、（ｂ）第２ケース部材を右側面側から見た断面図であり、コネクタ用開口の近傍を拡大した図、（ｃ）第２ケース部材を前側面側から見た断面図であり、コネクタ用開口の近傍を拡大した図である。
【図１２】（ａ）保護カバー部材を左側面側から見た斜視図、（ｂ）保護カバー部材を左側面側から見た断面斜視図である。
【図１３】（ａ）電子タグシールを表面側から見た図、（ｂ）電子タグシールを裏面側から見た図、（ｃ）電子タグシールの分解斜視図である。
【図１４】遊技制御基板を上面側から見た斜視図である。
【図１５】（ａ）遊技制御基板を上面側右方から見た斜視図であり、制御デバイスの近傍を拡大した図、（ｂ）遊技制御基板を上面側左方から見た斜視図であり、制御デバイスの近傍を拡大した図である。
【図１６】（ａ）端子カバー部材を上面側から見た斜視図、（ｂ）端子カバー部材を下面側から見た斜視図である。
【図１７】（ａ）コネクタに対する端子カバー部材の取り付けを説明するための図、（ｂ）コネクタに端子カバー部材を取り付けた状態を示す図である。
【図１８】（ａ）第２ケース部材に対する遊技制御基板の取り付けを説明するための図、（ｂ）第２ケース部材に遊技制御基板を取り付けた状態を示す図である。
【図１９】（ａ）第２ケース部材に遊技制御基板を取り付けた状態を後側面側から見た断面図であり、コネクタの近傍を拡大した図、（ｂ）第２ケース部材に遊技制御基板を取り付けた状態を後側面側から見た断面図であり、制御デバイスの近傍を拡大した図である。
【図２０】第１ケース部材に対する第２ケース部材のスライド挿入と、第１ケース部材と第２ケース部材との結合と、を説明するための図である。
【図２１】（ａ）遊技制御装置を上面側から見た斜視図であり、左側端封止手段及び右側端封止手段の近傍を拡大した図、（ｂ）遊技制御装置を下面側から見た斜視図であり、右側端封止手段の近傍を拡大した図である。
【図２２】（ａ）貼着領域に対する電子タグシールの貼着と、右側端封止手段に対する保護カバー部材の取り付けと、を説明するための図、（ｂ）右側端封止手段に保護カバー部材を取り付けた状態を示す図である。
【図２３】（ａ）遊技制御装置を右側面側から見た断面図、（ｂ）遊技制御装置を後側面側から見た断面図であり、制御デバイスの近傍を拡大した図である。
【図２４】（ａ）遊技制御装置を右側面側から見た断面図であり、コネクタ用開口の近傍を拡大した図、（ｂ）遊技制御装置を右側面側から見た断面図であり、コネクタ用開口の近傍をさらに拡大した図である。
【図２５】遊技制御装置を上面側から見た断面図であり、左側端封止手段及び右側端封止手段の近傍を拡大した図である。
【図２６】（ａ）遊技制御装置を上面側から見た断面図であり、右側の挿入端封止手段の近傍を拡大した図、（ｂ）遊技制御装置を上面側から見た断面図であり、左側の挿入端封止手段の近傍を拡大した図である。
【図２７】第２実施形態において、（ａ）第１ケース部材を上面側から見た斜視図、（ｂ）第１ケース部材を上面側から見た斜視図であり、左側の前第１固着部の近傍を拡大した図、（ｃ）第１ケース部材を上面側から見た断面図であり、左側の前第１固着部の近傍を拡大した図である。
【図２８】第２実施形態において、（ａ）第２ケース部材を上面側から見た斜視図、（ｂ）第２ケース部材を上面側から見た斜視図であり、左側の前第２固着部の近傍を拡大した図である。
【図２９】第２実施形態において、（ａ）前第１固着部と前第２固着部との固着を説明するための図、（ｂ）前第１固着部と前第２固着部とが固着された状態を示す図である。
【発明を実施するための形態】
【００２８】
以下、本発明の好適な実施の形態を図面に基づいて説明する。
図１は、本発明の一実施形態の遊技機の説明図である。
【００２９】
〔第１実施形態〕
本実施形態の遊技機１０は前面枠１２を備え、当該前面枠１２は本体枠（外枠）１１にヒンジ１３を介して開閉回動可能に組み付けられている。遊技盤３０は前面枠１２の表側に形成された収納部（図示省略）に収納されている。また、前面枠（内枠）１２には、遊技盤３０の前面を覆うカバーガラス（透明部材）１４を備えたガラス枠１５が取り付けられている。
【００３０】
また、ガラス枠１５の上部には、内部にランプ及びモータを内蔵した照明装置（ムービングライト）１６や払出異常報知用のランプ（ＬＥＤ）１７が設けられている。また、ガラス枠１５の左右には内部にランプ等を内蔵し装飾や演出のための発光をする枠装飾装置１８や、音響（例えば、効果音）を発するスピーカ（上スピーカ）１９ａが設けられている。さらに、前面枠１２の下部にもスピーカ（下スピーカ）１９ｂが設けられている。
【００３１】
また、前面枠１２の下部には、図示しない打球発射装置に遊技球を供給する上皿２１、遊技機１０の裏面側に設けられている球払出装置５４から払い出された遊技球が流出する上皿球出口２２、上皿２１が一杯になった状態で払い出された遊技球を貯留する下皿２３及び打球発射装置の操作部２４等が設けられている。さらに、上皿２１の上縁部には、遊技者からの操作入力を受け付けるための操作スイッチを内蔵した演出ボタン２５が設けられている。さらに、前面枠１２下部右側には、前面枠１２を開放したり施錠したりするための鍵２６が設けられている。
【００３２】
この実施形態の遊技機１０においては、遊技者が上記操作部２４を回動操作することによって、打球発射装置が、上皿２１から供給される遊技球を遊技盤３０前面の遊技領域に向かって発射する。また、遊技者が演出ボタン２５を操作することによって、表示装置（図示省略）における変動表示ゲーム（飾り特図変動表示ゲーム）において、遊技者の操作を介入させた演出等を行わせることができる。さらに、上皿２１上方のガラス枠１５の前面には、遊技者が隣接する球貸機から球貸しを受ける場合に操作する球貸ボタン２７、球貸機のカードユニットからプリペイドカードを排出させるために操作する排出ボタン２８、プリペイドカードの残高を表示する残高表示部（図示省略）等が設けられている。
【００３３】
図２には、遊技機１０の裏面の構造が示されている。
前面枠１２の裏面上部には、払出し前の遊技球を貯留する貯留タンク５１と、外部への情報（例えば、図柄確定信号、大当り信号、確率変動信号、賞球信号、貸球信号等）を出力する外部情報端子板４１と、が設けられている。また、貯留タンク５１の底部には、緩やかな傾斜を有し遊技球を遊技機１０の一側へ向けて誘導するシュート５２が接続され、シュート５２の終端には、遊技球の流下方向を水平方向から垂直方向へと変換する屈曲流路装置５３が接続されている。そして、この屈曲流路装置５３の下端に駆動源を有する球払出装置５４が配設され、この球払出装置５４によって所定数の遊技球を払出し可能に構成されている。
【００３４】
さらに、前面枠１２の裏面中央部には、表示装置（画像表示装置）における変動表示ゲームの演出の制御を行う演出制御装置８０と、演出制御装置８０等の各種装置を統括制御する遊技制御装置１００と、等が配設されている。
また、前面枠１２の裏面下部には、球払出装置５４を制御する払出制御装置６０と、遊技機１０側とカードユニット側とで授受される信号を中継するカードユニット中継基板７０と、遊技制御装置１００等の各種制御装置に電源供給を行う電源装置９０と、等が設けられている。
【００３５】
次に、本実施形態の遊技機１０が特徴とする遊技制御装置１００（制御装置）について説明する。
遊技制御装置１００は、例えば図３、図４に示すように、遊技機１０の動作制御等を行うことで遊技の進行を統括的に制御する遊技制御基板１１０（制御基板）と、当該遊技制御基板１１０を内部に収納するための基板ボックス１２０と、を備えて構成される。
そして、遊技制御装置１００においては、予め記憶された固有の識別情報を発信可能な電子タグ１３１を有する電子タグシール１３０や、当該遊技制御装置１００の管理番号等が印字された管理番号シール１４０、当該遊技制御装置１００を備える遊技機１０の機種等が印字された機種シール１５０などが、基板ボックス１２０（具体的には、基板ボックス１２０が備える第１ケース部材２００（後述）等）に貼着されている。
【００３６】
遊技制御装置１００は、遊技盤３０の背面に取り付けられて当該遊技盤３０が前面枠１２に取り付けられることによって、例えば図２に示すように、遊技機１０の背面側から視認可能に配されている。したがって、以下の説明では、遊技機１０の背面側に配された遊技制御装置１００を遊技機１０の背面側から見た場合（図２参照）に、遊技機１０の背面側から視認可能な側を上側、遊技盤３０に取り付けられた側を下側とし、上になる側を後側、下になる側を前側とし、左になる側を左側、右になる側を右側とする。
【００３７】
遊技制御基板１１０は、例えば図４、図１４、図１５（ａ），（ｂ）に示すように、その外形が矩形状を呈してなる面実装タイプの基板である。すなわち、遊技制御基板１１０は、一方向（左右方向）に長尺な基板であり、当該遊技制御基板１１０の表面１１０ａに、遊技制御用の電子部品１１１，１１１，…及びコネクタ（コネクタ端子）１１６，１１６，…が面実装されている。
なお、図面では、遊技機１０の出荷前における遊技制御装置１００の検査時に使用される検査用端子１１７がコネクタの一種として遊技制御基板１１０に実装されているが、当該検査用端子１１７は、遊技機１０の出荷時には遊技制御基板１１０から取り外される。したがって、本実施形態において、コネクタ１１６は、検査用端子１１７以外のコネクタを指すものとする。
【００３８】
遊技制御基板１１０においては、例えば図１４に示すように、当該遊技制御基板１１０の表面１１０ａのうちの後部にコネクタ１１６が実装されており、当該遊技制御基板１１０の表面１１０ａのうちの後部以外の部分（前後方向中央部及び前部）に電子部品１１１が実装されている。
すなわち、遊技制御基板１１０は、当該遊技制御基板１１０の長手方向（左右方向）に沿った一方の端部（後端部）側に、他の装置と接続するためのコネクタ１１６が実装されている。
また、遊技制御基板１１０は、当該遊技制御基板１１０の長手方向に沿った他方の端部（前端部）側に、遊技機１０の動作に関する電気的制御を実行するための電子部品１１１が実装されている。
【００３９】
電子部品１１１には、例えば図１４に示すように、記憶された遊技プログラムに従って遊技の制御を行う制御デバイス１１２（遊技用マイクロコンピュータ）と、実装時の高さが当該制御デバイス１１２よりも低いその他の電子部品１１１と、が含まれている。
制御デバイス１１２には、ＣＰＵ、ＲＯＭ、ＲＡＭ等を１チップ化したアミューズチップが内蔵されており、側面に当該制御デバイス１１２を識別するための識別情報が付されたＺＩＰ（Zigzag Inline Package）タイプの電子部品である。そのため、制御デバイス１１２は、面実装部品であるその他の電子部品１１１とは異なり、遊技制御基板１１０に立設されている。したがって、遊技制御基板１１０に実装されている制御デバイス１１２は、遊技制御基板１１０に実装されているその他の電子部品１１１よりも高さが高く、上方に突出している。
【００４０】
また、制御デバイス１１２は、一方向に長尺な電子部品であり、遊技制御基板１１０の短手方向（すなわち、第１ケース部材２００に対する第２ケース部材３００のスライド方向（後述））に沿って、遊技制御基板１１０に実装されている。そして、制御デバイス１１２が遊技制御基板１１０に実装された状態において、当該制御デバイス１１２の印字面１１２ａ（すなわち、当該制御デバイス１１２を識別するための識別情報等が印字された面）は、遊技制御基板１１０の短手方向に沿った互いに対向する側方のうちの何れか一方（本実施形態では右側方）を向いている。
【００４１】
ここで、本実施形態では、制御デバイス１１２の近傍に、その他の電子部品１１１を実装しないよう構成されている。
すなわち、遊技制御基板１１０の表面１１０ａにおいては、制御デバイス１１２が実装された領域の周囲に、何れの電子部品１１１も実装されていない非実装領域が設けられている。
そして、例えば図１４に示すように、非実装領域のうちの右側（すなわち、制御デバイス１１２の印字面１１２ａ側）の幅（左右方向の長さ）Ｌ１２は、左側の幅Ｌ１１よりも大きくなるよう設定されている。
【００４２】
コネクタ１１６には、例えば図１４に示すように、遊技者に付与する遊技価値に影響を及ぼす信号（具体的には、遊技の結果に関する信号等）を入出力する端子の他に、遊技制御装置１００を電源装置９０と接続するための電源用端子１１８や、遊技機１０の出荷後における遊技制御装置１００の検査時に使用される外部通信端子１１９が含まれている。
ここで、本実施形態では、複数のコネクタ１１６のうちの外部通信端子１１９が最も上方に突出するよう構成されている。
【００４３】
また、本実施形態では、例えば図１４に示すように、遊技制御基板１１０のうちの、最も左側に実装されたコネクタ１１６（本実施形態では外部通信端子１１９）よりも外側の位置と、最も右側に実装されたコネクタ１１６（本実施形態では電源用端子１１８）よりも外側の位置と、のそれぞれに、なべネジ１７０（図１８（ａ）参照）の軸部が上下方向に挿通可能なネジ孔１１０ｂが設けられている。
【００４４】
基板ボックス１２０は、例えば図３、図４に示すように、遊技制御基板１１０を収納するための閉止空間Ｓを画成する第１ケース部材２００及び第２ケース部材３００と、第１ケース部材２００と第２ケース部材３００とを合体させて閉止空間Ｓを画成する閉止状態を保持したまま、第１ケース部材２００と第２ケース部材３００とを離反不能に結合することが可能な封止手段（左側端封止手段４００、右側端封止手段５００、挿入端封止手段６００）と、電子タグシール１３０を貼着するための貼着領域Ｒ（図２２（ａ）において網掛けされた領域）と、貼着領域Ｒに貼着された電子タグシール１３０を保護するための保護カバー部材７００と、を備えて構成される。
【００４５】
第１ケース部材２００は、例えば図４、図２０に示すように、一側部（後側部）に挿入開口２００ａを有する凹室状の収納空間Ｓ＊を画成している。
第２ケース部材３００は、例えば図４、図２０に示すように、遊技制御基板１１０を収納空間Ｓ＊内に配置した状態で第１ケース部材２００と合体することが可能であるとともに、当該合体した状態で挿入開口２００ａの縁部と接合して当該挿入開口２００ａを閉塞することが可能となるよう構成されている。具体的には、第２ケース部材３００は、遊技制御基板１１０を取り付けることが可能となるよう構成されている。また、第２ケース部材３００は、収納空間Ｓ＊を閉止する閉止状態への変換時に挿入開口２００ａから収納空間Ｓ＊内へとスライド挿入されて、閉止状態において挿入開口２００ａの縁部と接合して当該挿入開口２００ａを閉塞することにより第１ケース部材２００とともに閉止空間Ｓ（閉止された収納空間Ｓ＊）を画成することが可能となるよう構成されている。
【００４６】
すなわち、例えば図２０に示すように、第２ケース部材３００に遊技制御基板１１０を取り付けた状態で、第２ケース部材３００を、挿入開口２００ａから第１ケース部材２００の内部（収納空間Ｓ＊内）へと、第１ケース部材２００の短手方向（前後方向）に沿って前向きにスライド挿入して、例えば図３に示すように、第１ケース部材２００と第２ケース部材３００とを合体させると、第１ケース部材２００の挿入開口２００ａが第２ケース部材３００（具体的には、第２ケース部材３００の開口閉塞部３１０（後述））で閉塞されて、収納空間Ｓ＊が閉止された閉止状態（閉止空間Ｓが画成された状態）となる。
【００４７】
遊技制御基板１１０は、閉止状態への変換時には、当該遊技制御基板１１０が取り付けられた第２ケース部材３００とともに挿入開口２００ａから収納空間Ｓ＊内へとスライド挿入され、閉止状態においては、閉止空間Ｓ（閉止された収納空間Ｓ＊）内に配置されることになる。閉止状態においては、遊技制御基板１１０が基板ボックス１２０に完全に内包された状態となるので、当該閉止状態を保持したまま、封止手段（左側端封止手段４００、右側端封止手段５００、挿入端封止手段６００）によって第１ケース部材２００と第２ケース部材３００とを離反不能に結合すると、大当りの抽選や遊技の進行制御などの遊技に関する種々の処理を実行する遊技制御基板１１０に対する不正行為等を回避することが可能となる。
また、第１ケース部材２００や第２ケース部材３００は、例えば透光性の合成樹脂で形成されており、基板ボックス１２０に内包された遊技制御基板１１０を遊技制御装置１００の外部から視認できるようになっている。
【００４８】
まず、基板ボックス１２０が備える第１ケース部材２００について説明する。
第１ケース部材２００は、例えば図４、図５（ａ），（ｂ）に示すように、その外形が遊技制御基板１１０の外形に対応する一方向（左右方向）に長尺な直方体形状を呈してなる部材であり、当該第１ケース部材２００の長手方向（左右方向）に沿った互いに対向する側部のうちの何れか一方（後側部）に挿入開口２００ａが形成されている。
【００４９】
具体的には、第１ケース部材２００は、例えば図５（ａ），（ｂ）に示すように、遊技制御装置１００の下面をなす左右方向に長尺な矩形状の下壁２１０と、遊技制御装置１００の上面の一部（前後方向中央部及び前部）をなす左右方向に長尺な矩形状の上壁２２０と、遊技制御装置１００の左側面の一部（前後方向中央部及び前部）をなし、上壁２２０の左端部全域から下側に向けて突設されて上壁２２０の左端部と下壁２１０の左端部とを連結する左側壁２３０と、遊技制御装置１００の右側面の一部（前後方向中央部及び前部）をなし、上壁２２０の右端部全域から下側に向けて突設されて上壁２２０の右端部と下壁２１０の右端部とを連結する右側壁２４０と、遊技制御装置１００の前側面をなし、上壁２２０の前端部全域から下側に向けて突設されて上壁２２０の前端部と下壁２１０の前端部とを連結する前側壁２５０と、により構成されている。
【００５０】
ここで、下壁２１０の短手方向（前後方向）の長さは、遊技制御基板１１０の短手方向の長さよりも若干長くなるよう設定されているとともに、下壁２１０の長手方向（左右方向）の長さは、遊技制御基板１１０の長手方向の長さよりも若干長くなるよう設定されている。
また、上壁２２０の長手方向（左右方向）の長さは、下壁２１０（具体的には、下壁２１０の前後方向中央部及び前部）の長手方向の長さと同一となるよう設定されており、上壁２２０の短手方向（前後方向）の長さは、下壁２１０の短手方向の長さよりも短くなるよう設定されている。
また、左側壁２３０及び右側壁２４０の前後方向の長さは、上壁２２０の短手方向の長さと同一となるよう設定されている。
すなわち、挿入開口２００ａは、第１ケース部材２００の側部（具体的には、左側部の一部（後部）、後側部及び右側部の一部（後部））から第１ケース部材２００の上部の一部（後部）にかけて開口している。
【００５１】
また、上壁２２０の長手方向の長さは、下壁２１０（具体的には、下壁２１０の前後方向中央部及び前部）の長手方向の長さと同一であるとともに、上壁２２０の短手方向の長さは、下壁２１０の短手方向の長さよりも短いので、閉止空間Ｓに遊技制御基板１１０を収納した状態（収納空間Ｓ＊内に遊技制御基板１１０を配置した状態）において、下壁２１０は、当該遊技制御基板１１０の裏面（下面）全体を被覆可能であるのに対し、上壁２２０は、当該遊技制御基板１１０の表面１１０ａ（上面）のうちの前後方向中央部及び前部（すなわち、電子部品１１１，１１１，…が実装された部分）のみを被覆して、当該遊技制御基板１１０の表面１１０ａのうちの後部（すなわち、コネクタ１１６，１１６，…が実装された部分）は被覆しないよう構成されている。すなわち、閉止空間Ｓに遊技制御基板１１０を収納した状態において、当該遊技制御基板１１０の前後方向中央部及び前部は収納空間Ｓ＊内に配置され、当該遊技制御基板１１０の後部は収納空間Ｓ＊内に配置されないよう構成されている。
【００５２】
また、下壁２１０は、例えば図５（ａ），（ｂ）に示すように、当該下壁２１０の後部（すなわち、当該下壁２１０のうちの上壁２２０と対向しない部分）の長手方向の長さが、当該下壁２１０の後部以外の部分（すなわち、当該下壁２１０の前後方向中央部及び前部であり、当該下壁２１０のうちの上壁２２０と対向する部分）の長手方向の長さよりも短くなるよう形成されている。
【００５３】
また、下壁２１０には、例えば図５（ｂ）に示すように、第１ケース部材２００（特に下壁２１０）を補強するための補強リブ２１１が設けられている。
なお、本実施形態では、補強リブ２１１を、下壁２１０の下面のうちの左端部分全域に設けられたリブと、下壁２１０の下面のうちの右端部分全域に設けられたリブと、下壁２１０の下面のうちの後端部分左側に設けられて左端部分全域のリブと連結するリブと、下壁２１０の下面のうちの後端部分右側に設けられて右端部分全域のリブと連結するリブと、下壁２１０の下面のうちの前端部分中央部に設けられたリブと、後端部分左側のリブと前端部分中央部のリブとを連結するリブと、後端部分右側のリブと前端部分中央部のリブとを連結するリブと、により構成したが、これに限ることはなく、補強リブ２１１によって第１ケース部材２００（特に下壁２１０）を補強できるのであれば、補強リブ２１１の構成は任意である。
【００５４】
上壁２２０は、例えば図５（ａ）、図７（ａ）に示すように、閉止状態において第２ケース部材３００の囲繞カバー本体部３３１（後述）に対応する位置に、当該上壁２２０の挿入開口２００ａ側の端部（後端部）から前端部までに亘って、収納空間Ｓ＊の奥行き方向（前後方向）に沿って設けられた露出用切欠部２２１を有している。
また、上壁２２０は、例えば図５（ａ）、図７（ａ）に示すように、当該上壁２２０のうちの露出用切欠部２２１の左右の縁部に収納空間Ｓ＊の奥行き方向（前後方向）に延設されたスライドガイド溝部２２２を有している。具体的には、スライドガイド溝部２２２は、上壁２２０のうちの露出用切欠部２２１を挟む左右両側の所定幅の領域それぞれが折曲されて、下方及び後方に開口するよう形成されており、閉止状態への変換時及び閉止状態時に第２ケース部材３００のスライドガイド壁３３２ａ（後述）と係合可能となっている。そして、上壁２２０には、例えば図７（ａ），（ｂ）に示すように、右側のスライドガイド溝部２２２の形成に伴って上壁２２０の外面（上面）に形成された左右の角部のうちの左側の角部が面取りされて面取り部２２２ａが形成されている。
【００５５】
また、上壁２２０には、例えば図５（ａ）、図７（ａ）に示すように、露出用切欠部２２１のうちの挿入開口２００ａ側とは反対側の部分を閉塞する侵入防止壁２２３が設けられている。
また、右側壁２４０には、例えば図５（ａ）に示すように、当該右側壁２４０の上端部のうちの後端から前後方向中央よりも前側の所定位置までに亘って、右側端封止手段５００に取り付けられた保護カバー部材７００の位置ズレを規制するためのストッパー２４１が設けられている。
また、挿入開口２００ａに対向する前側壁２５０（奥側壁）は、例えば図６（ａ），（ｂ）、図７（ｂ）に示すように、左右方向中央よりも左側の所定位置と右側の所定位置とのそれぞれに、前第２固着部６２０（後述）を挿通可能な挿通口２５１を有している。
【００５６】
次に、基板ボックス１２０が備える第２ケース部材３００について説明する。
第２ケース部材３００は、例えば図４、図８（ａ），（ｂ）に示すように、遊技制御基板１１０を下方から取り付けることが可能であるとともに、当該第２ケース部材３００に取り付けられた遊技制御基板１１０の外周を囲繞することが可能な枠状を呈してなる部材である。
【００５７】
具体的には、第２ケース部材３００は、第１ケース部材２００と合体した状態で挿入開口２００ａの縁部と接合して当該挿入開口２００ａを閉塞することが可能な開口閉塞部３１０と、当該第２ケース部材３００に取り付けられた遊技制御基板１１０を支持することが可能な基板支持部（挿入部）３２０と、当該第２ケース部材３００に取り付けられた遊技制御基板１１０に実装されている制御デバイス１１２の周囲を囲繞することが可能な囲繞カバー部３３０と、を備えて構成される。
そして、第２ケース部材３００においては、例えば図２５に示すように、開口閉塞部３１０（具体的には、開口閉塞部３１０の側方閉塞部３１６（後述））と、基板支持部（挿入部）３２０と、によって当該第２ケース部材３００に取り付けられた遊技制御基板１１０の外周を囲繞するよう構成されている。
【００５８】
ここで、本実施形態において挿入開口２００ａの縁部とは、第１ケース部材２００において、下壁２１０の後端部と、下壁２１０の左端部のうちの後部と、左側壁２３０の後端部と、上壁２２０の後端部と、右側壁２４０の後端部と、下壁２１０の右端部のうちの後部と、よりなる一続きの部分である。そして、閉止状態において、第１ケース部材２００における当該一続きの部分と、第２ケース部材３００と、の重合境界が、第１ケース部材２００と第２ケース部材３００との接合部分になる。
【００５９】
第２ケース部材３００の左右方向の長さは、収納空間Ｓ＊の左右方向の長さと略同一となるよう設定されている。
また、第２ケース部材３００の前後方向中央部及び前部をなす基板支持部（挿入部）３２０の前後方向の長さは、収納空間Ｓ＊の前後方向の長さと略同一となるよう設定されているとともに、基板支持部（挿入部）３２０の上下方向の長さは、収納空間Ｓ＊の上下方向の長さと略同一となるよう設定されている。すなわち、第２ケース部材３００のうちの基板支持部（挿入部）３２０のみが、閉止状態において収納空間Ｓ＊内に配置されるよう構成されている。
また、第２ケース部材３００の後部をなす開口閉塞部３１０の前後方向の長さは、下壁２１０の後部の前後方向の長さよりも若干長くなるよう設定されている。具体的には、閉止状態において、開口閉塞部３１０（具体的には、開口閉塞部３１０の当接部３１１ａ（後述））が、第１ケース部材２００を構成する上壁２２０の後端部に対して後側から当接するとともに、開口閉塞部３１０（具体的には、開口閉塞部３１０の側方閉塞部３１６（後述）を構成する後側壁部）が、第１ケース部材２００を構成する下壁２１０の後端部に対して後側から当接するよう構成されている。
【００６０】
開口閉塞部３１０は、例えば図８（ａ），（ｂ）に示すように、挿入開口２００ａを第１ケース部材２００の上部の一部側（後部側）から閉塞することが可能な上方閉塞部３１１と、遊技制御装置１００の左側面の一部（後部）と後面と右側面の一部（後部）とをなし、挿入開口２００ａを第１ケース部材２００の側部側（具体的には、左側部の一部（後部）側、後側部側及び右側部の一部（後部）側）から閉塞することが可能な側方閉塞部３１６と、により構成されている。
ここで、遊技制御基板１１０は、例えば図４に示すように、当該遊技制御基板１１０に実装されているコネクタ１１６が開口閉塞部３１０側に位置し、かつ、当該遊技制御基板１１０の表面１１０ａが当該開口閉塞部３１０（具体的には、当該開口閉塞部３１０の下面）に対向するよう第２ケース部材３００に取り付けられる。すなわち、開口閉塞部３１０は、第２ケース部材３００に遊技制御基板１１０を取り付けた状態において、当該開口閉塞部３１０の下面が、当該遊技制御基板１１０の表面１１０ａのうちの後部に対向するよう構成されている。
【００６１】
上方閉塞部３１１は、例えば図８（ａ），（ｂ）に示すように、左右方向に長尺な矩形状を呈してなり、第２ケース部材３００に取り付けられた遊技制御基板１１０に実装されているコネクタ１１６，１１６，…に対応する位置に、閉止状態において当該コネクタ１１６，１１６，…を基板ボックス１２０の外部に露出させるためのコネクタ用開口３１２，３１２，…を有している。
また、上方閉塞部３１１は、例えば図８（ｂ）に示すように、当該上方閉塞部３１１の下面のうちのコネクタ用開口３１２の縁部の周囲に、端子カバー部材１６０（後述）を囲繞するための端子カバー囲繞壁３１３を有している。
【００６２】
ここで、本実施形態では、基板ボックス１２０は、例えば図１７（ａ）に示すように、コネクタ１１６の脚部（端子部）１１６ａ，１１６ａ，…を保護することが可能な端子カバー部材１６０を備えており、例えば図１７（ｂ）、図１８（ａ），（ｂ）に示すように、コネクタ１１６に端子カバー部材１６０を装着した状態で、遊技制御基板１１０を第２ケース部材３００に取り付けるよう構成されている。
これにより、脚部１１６ａの破損や脚部１１６ａへの不正アクセスなどを回避することが可能となる。すなわち、本実施形態では、コネクタ１１６，１１６，…が遊技制御基板１１０に面実装されているので、例えば図１７（ａ）に示すように、コネクタ１１６の脚部１１６ａ，１１６ａ，…は、当該コネクタ１１６本体部の下端部から側方に突設されており、遊技制御基板１１０の表面１１０ａから突出している。そのため、このままでは、脚部１１６ａの破損や脚部１１６ａへの不正アクセスなどの不都合が発生し易いが、本実施形態では、独立した各端子カバー部材１６０により脚部１１６ａ，１１６ａ，…を保護しているので、当該不都合を回避することができる。
【００６３】
なお、本実施形態では、例えば図１４、図１８（ａ）に示すように、遊技者に付与する遊技価値に影響を及ぼす信号を入出力するコネクタ１１６（具体的には、電源用端子１１８や外部通信端子１１９以外のコネクタ１１６）の脚部１１６ａのみが表面１１０ａから突出しており、脚部１１６ａが表面１１０ａから突出しているコネクタ１１６に端子カバー部材１６０を装着するよう構成したが、これに限ることはなく、例えば、脚部１１６ａが表面１１０ａから突出しているコネクタ１１６のうちの特定のコネクタ１１６のみに端子カバー部材１６０を装着するよう構成しても良いし、脚部１１６ａが表面１１０ａから突出しているか否かにかかわらず全てのコネクタ１１６に端子カバー部材１６０を装着するよう構成しても良い。
【００６４】
端子カバー部材１６０は、例えば図１６（ａ），（ｂ）に示すように、第２ケース部材３００の開口閉塞部３１０と遊技制御基板１１０との間に挟持されてコネクタ１１６の脚部１１６ａ，１１６ａ，…を保護するための端子カバー本体部１６１と、端子カバー本体部１６１の上面に立設された起立壁部１６２と、により構成されている。
【００６５】
端子カバー本体部１６１は、その外形が直方体形状を呈してなり、その内部に下部に開口を有する凹室状の空間が形成されている。また、端子カバー本体部１６１は、当該端子カバー本体部１６１を構成する上壁部に、対応するコネクタ１１６（コネクタ１１６本体部）の上面視外形と同一形状のコネクタ挿入口を有している。そして、端子カバー本体部１６１は、例えば図２４（ａ），（ｂ）に示すように、端子カバー部材１６０をコネクタ１１６に装着した状態（すなわち、端子カバー本体部１６１の下端部が遊技制御基板１１０の表面１１０ａに接した状態）において、コネクタ１１６の脚部１１６ａに接することなく、端子カバー本体部１６１の内部（凹室状の空間内）に、当該コネクタ１１６の脚部１１６ａ，１１６ａ，…を収納可能となるよう構成されている。
【００６６】
起立壁部１６２は、端子カバー本体部１６１を構成する上壁部の上面のうちのコネクタ挿入口の縁部から上側に向けて突設されている。
ここで、本実施形態では、例えば図１９（ａ）、図２４（ａ），（ｂ）に示すように、基板に対するコネクタ１１６の取り付けガタ等に対応できるよう、コネクタ用開口３１２のサイズが、対応するコネクタ１１６（コネクタ１１６本体部）の上面視外形よりも大きく設定されており、コネクタ用開口３１２の端面と、コネクタ１１６本体部の外側面と、の間には隙間が生じている。また、端子カバー本体部１６１のコネクタ挿入口の形状は対応するコネクタ１１６（コネクタ１１６本体部）の上面視外形と同一であり、起立壁部１６２は当該コネクタ挿入口の縁部から突設されているので、端子カバー部材１６０をコネクタ１１６に装着した状態において、起立壁部１６２は、コネクタ用開口３１２の端面と、当該コネクタ１１６本体部の外側面と、の間に生じている隙間に配置された状態で、当該起立壁部１６２の内面が当該コネクタ１１６本体部の外側面と当接している。
このように、起立壁部１６２を設けることにより、コネクタ１１６に端子カバー部材１６０を的確に取り付けることが可能となる。
また、端子カバー本体部１６１が有するコネクタ挿入口は、対応するコネクタ１１６（コネクタ１１６本体部）の上面視外形と同一形状であり、端子カバー部材１６０をコネクタ１１６に装着した状態において、当該コネクタ挿入口の端面と、当該コネクタ１１６本体部の外側面と、は当接している。そのため、当該コネクタ挿入口から針金やピアノ線などを挿入することは困難であるが、さらに本実施形態では、起立壁部１６２を設けることによって、当該コネクタ挿入口からの針金やピアノ線などの挿入を一層困難にしているので、脚部１１６ａへの不正アクセス等を十分に回避することが可能となる。
【００６７】
また、起立壁部１６２には、例えば図１６（ａ），（ｂ）に示すように、当該起立壁部１６２の上端部のうちの外側の角部が面取りされてテーパ部１６２ａが形成されている。
すなわち、起立壁部１６２の上端部には、外側に向けて下り傾斜するテーパ部１６２ａが設けられているので、端子カバー部材１６０が装着されたコネクタ１１６を、コネクタ用開口３１２の下方から挿入し易くなり、第２ケース部材３００に遊技制御基板１１０を取り付ける際の作業性が向上する。
【００６８】
端子カバー囲繞壁３１３は、例えば図１９（ａ）、図２４（ａ），（ｂ）に示すように、第２ケース部材３００に遊技制御基板１１０を取り付けた状態において、当該端子カバー囲繞壁３１３の先端部（下端部）が当該遊技制御基板１１０の表面１１０ａと当接し、かつ、上方閉塞部３１１の下面（具体的には、上方閉塞部３１１の下面のうちのコネクタ用開口３１２の縁部）が端子カバー部材１６０の端子カバー本体部１６１の上面と当接するよう、上方閉塞部３１１の下面のうちのコネクタ用開口３１２の縁部の周囲から下側に向けて突設されている。
これにより、遊技制御基板１１０への不正アクセス等を回避することが可能となる。すなわち、本実施形態では、基板に対するコネクタ１１６の取り付けガタ等に対応できるよう、コネクタ用開口３１２のサイズが、対応するコネクタ１１６に装着される端子カバー部材１６０の起立壁部１６２の上面視外形よりも若干大きく設定されており、コネクタ用開口３１２の端面と、起立壁部１６２の外側面と、の間に隙間が生じているので、当該隙間から針金やピアノ線などが挿入される虞れがある。本実施形態では、上方閉塞部３１１の下面と端子カバー本体部１６１の上面とが当接しているので、当該隙間から挿入された針金やピアノ線などが基板ボックス１２０の内部（閉止空間Ｓ内）へと侵入することは困難であるが、さらに本実施形態では、先端部が遊技制御基板１１０の表面１１０ａと当接する端子カバー囲繞壁３１３でコネクタ用開口３１２の周囲を囲むことによって、当該侵入を一層困難にしているので、遊技制御基板１１０への不正アクセス等を十分に回避することが可能となる。
【００６９】
また、端子カバー囲繞壁３１３は、第２ケース部材３００に遊技制御基板１１０を取り付けた状態において、当該端子カバー囲繞壁３１３の内側面が、端子カバー部材１６０の端子カバー本体部１６１の外側面と当接しない位置に設けられている。
これにより、基板に対するコネクタ１１６の取り付けガタ等に十分に対応することが可能となる。すなわち、第２ケース部材３００に遊技制御基板１１０を取り付けた状態において、端子カバー囲繞壁３１３の内側面と、端子カバー本体部１６１の外側面と、が当接するように端子カバー囲繞壁３１３が設けられている場合、遊技制御基板１１０を第２ケース部材３００に取り付ける際に、取り付けガタ等の影響で、端子カバー部材１６０が装着されたコネクタ１１６をコネクタ用開口３１２に的確に挿入できない等の虞れがある。これに対し、本実施形態では、第２ケース部材３００に遊技制御基板１１０を取り付けた状態において、端子カバー囲繞壁３１３の内側面と、端子カバー本体部１６１の外側面と、が当接しないように端子カバー囲繞壁３１３を設けているので、取り付けガタ等が生じていても、遊技制御基板１１０を第２ケース部材３００に取り付ける際に、端子カバー部材１６０が装着されたコネクタ１１６をコネクタ用開口３１２に的確に挿入することができることとなって、当該取り付けガタ等に十分に対応することが可能となる。
【００７０】
なお、本実施形態では、例えば図８（ｂ）、図１１（ａ），（ｂ），（ｃ）、図１９（ａ）に示すように、隣接するコネクタ用開口３１２同士の間隔が所定の閾値以下であり、かつ、当該コネクタ用開口３１２同士の前後方向の長さが略同一であれば、端子カバー囲繞壁３１３で当該コネクタ用開口３１２同士を一緒に囲むことによって端子カバー囲繞壁３１３がシンプルなものとなるよう構成したが、これに限ることはなく、例えば、各コネクタ用開口３１２を端子カバー囲繞壁３１３で一つずつ囲むよう構成しても良いし、コネクタ用開口３１２同士の間隔や前後方向の長さにかかわらず複数のコネクタ用開口３１２を端子カバー囲繞壁３１３で一緒に囲むことによって端子カバー囲繞壁３１３が一層シンプルなものとなるよう構成しても良い。
【００７１】
また、本実施形態では、端子カバー部材１６０が装着されるコネクタ１１６（図４参照）に対応するコネクタ用開口３１２の周囲のみに端子カバー囲繞壁３１３を設けるよう構成したが、これに限ることはなく、例えば、端子カバー部材１６０が装着されるコネクタ１１６に対応するコネクタ用開口３１２のうちの特定のコネクタ用開口３１２の周囲のみに端子カバー囲繞壁３１３を設けるよう構成しても良いし、端子カバー部材１６０が装着されるコネクタ１１６に対応するか否かにかかわらず全てのコネクタ用開口３１２の周囲に端子カバー囲繞壁３１３を設けるよう構成しても良い。
【００７２】
また、上方閉塞部３１１は、例えば図８（ａ），（ｂ）、図１８（ａ），（ｂ）に示すように、閉止状態において第１ケース部材２００の上壁２２０のうちの挿入開口２００ａ側の端部（すなわち、上壁２２０の後端部）と当接する当接部３１１ａを有している。
当接部３１１ａは、閉止状態において、当該当接部３１１ａの上端部が第１ケース部材２００の上壁２２０の外面（上面）よりも上方に突出するよう、上方閉塞部３１１の前端部から上側に向けて突設されている。すなわち、第２ケース部材３００は、当接部３１１ａによって、閉止状態において挿入開口２００ａの縁部（具体的には、上壁２２０の後端部）と接合するよう構成されている。
そして、例えば図８（ａ），（ｂ）、図１８（ａ），（ｂ）に示すように、当接部３１１ａの前面には、閉止状態において、第１ケース部材２００の上壁２２０を下方から支持する下方支持部３１１ｂと、上壁２２０を上方から支持する上方支持部３１１ｃと、が設けられている。
【００７３】
なお、本実施形態では、下方支持部３１１ｂ及び上方支持部３１１ｃを、互いに対向しない位置に設けるよう構成したが、これに限ることはなく、下方支持部３１１ｂによって上壁２２０の下方への変形を抑制できるとともに、上方支持部３１１ｃによって上壁２２０の上方への変形を抑制でき、かつ、下方支持部３１１ｂ及び上方支持部３１１ｃによって第１ケース部材２００と第２ケース部材３００との接合部分（具体的には、上壁２２０と当接部３１１ａとの接合部分）に生じる隙間を閉塞できるのであれば、下方支持部３１１ｂ及び上方支持部３１１ｃを設ける位置は任意であり、例えば、下方支持部３１１ｂを、当接部３１１ａの前面のうちの下端部分全域に亘って設けるとともに、上方支持部３１１ｃを、当接部３１１ａの前面のうちの上端部分全域に亘って設けるよう構成しても良い。
【００７４】
また、例えば図８（ａ），（ｂ）、図１８（ａ）に示すように、上方閉塞部３１１のうちの、第２ケース部材３００に遊技制御基板１１０を取り付けた状態において当該遊技制御基板１１０に設けられた左右のネジ孔１１０ｂのそれぞれに対応する位置には、なべネジ１７０（図１８（ａ）参照）用のネジ受部として、上方閉塞部３１１に開口を有するネジ受部３１１ｄが設けられている。
【００７５】
側方閉塞部３１６は、例えば図８（ａ），（ｂ）に示すように、上面視略コ字形状を呈してなり、上方閉塞部３１１が有する当接部３１１ａとともに、上方閉塞部３１１を取り囲んでいる。
また、側方閉塞部３１６は、例えば図８（ｂ）に示すように、上方閉塞部３１１の下面よりも下方に突出しており、閉止状態において当該側方閉塞部３１６の下端部が第１ケース部材２００の補強リブ２１１の下端部と略面一となるよう設定されている。すなわち、第２ケース部材３００は、側方閉塞部３１６によって、閉止状態において挿入開口２００ａの縁部（具体的には、下壁２１０の後端部、下壁２１０の左端部のうちの後部及び下壁２１０の右端部のうちの後部）と接合するよう構成されている。
【００７６】
さらに、開口閉塞部３１０には、例えば図８（ａ），（ｂ）、図１８（ａ），（ｂ）に示すように、第２ケース部材３００に取り付けられた遊技制御基板１１０に実装されているコネクタ１１６の破損を防止することが可能なコネクタ破損防止壁３１０ａ，３１０ａが設けられている。
【００７７】
なお、本実施形態では、コネクタ破損防止壁３１０ａを、上方閉塞部３１１が有する当接部３１１ａの上端部のうちの左側部分と、側方閉塞部３１６を構成する左側壁部の上端部と、側方閉塞部３１６を構成する後側壁部の上端部のうちの左側部分と、よりなる上面視コ字形状の部分から上側に向けて突設するとともに、上方閉塞部３１１が有する当接部３１１ａの上端部のうちの右側部分と、側方閉塞部３１６を構成する右側壁部の上端部と、側方閉塞部３１６を構成する後側壁部の上端部のうちの右側部分と、よりなる上面視コ字形状の部分から上側に向けて突設するよう構成したが、これに限ることはなく、コネクタ破損防止壁３１０ａを設ける位置は任意である。
また、本実施形態では、コネクタ破損防止壁３１０ａを、外側に向かうにつれて徐々に上方に突出するよう構成するとともに、第２ケース部材３００に遊技制御基板１１０を取り付けた状態において、当該コネクタ破損防止壁３１０ａのうちの最も上方に突出した部分（すなわち、当該コネクタ破損防止壁３１０ａのうちの側方閉塞部３１６を構成する左側壁部や右側壁部から突出している部分）の高さが、当該遊技制御基板１１０に実装されているコネクタ１１６のうちの最も上方に突出しているコネクタ１１６（本実施形態では外部通信端子１１９）の高さと同等になるよう構成したが、これに限ることはなく、コネクタ破損防止壁３１０ａの構成は任意である。
すなわち、遊技制御装置１００を床に落としたり、遊技制御装置１００に物がぶつかったりしても、コネクタ破損防止壁３１０ａによって、コネクタ１１６と床や物との直接衝突を回避できるのであれば、コネクタ破損防止壁３１０ａを設ける位置やコネクタ破損防止壁３１０ａの構成は任意である。
【００７８】
基板支持部（挿入部）３２０は、例えば図８（ａ），（ｂ）、図１８（ａ），（ｂ）に示すように、上面視略コ字形状を呈してなり、第２ケース部材３００に遊技制御基板１１０を取り付けた状態において、開口閉塞部３１０を構成する側方閉塞部３１６のうちの下方に突出した部分（具体的には、側方閉塞部３１６のうちの上方閉塞部３１１の下面よりも下方に突出した部分）とともに、当該遊技制御基板１１０の外周を囲繞するよう構成されている。
【００７９】
そして、基板支持部（挿入部）３２０の内面には、例えば図８（ａ），（ｂ）に示すように、第２ケース部材３００に遊技制御基板１１０を取り付けた状態において、当該遊技制御基板１１０を下方から支持する基板下方支持部３２０ａと、当該遊技制御基板１１０を上方から支持する基板上方支持部３２０ｂと、が設けられている。
これにより、基板支持部（挿入部）３２０は、第２ケース部材３００に取り付けられた遊技制御基板１１０を支持可能となっている。
【００８０】
なお、本実施形態では、基板下方支持部３２０ａ及び基板上方支持部３２０ｂを、互いに対向しない位置に設けるよう構成したが、これに限ることはなく、基板下方支持部３２０ａ及び基板上方支持部３２０ｂによって第２ケース部材３００に取り付けられた遊技制御基板１１０を支持できるのであれば、基板下方支持部３２０ａ及び基板上方支持部３２０ｂを設ける位置は任意であり、例えば、基板下方支持部３２０ａを、本実施形態のように基板支持部（挿入部）３２０の内面（具体的には、基板支持部（挿入部）３２０を構成する前側部３２３の内面（後面））のうちの下端部分左側の所定位置と下端部分右側の所定位置とのそれぞれに設けるとともに、基板上方支持部３２０ｂを、基板支持部（挿入部）３２０の内面（具体的には、基板支持部（挿入部）３２０を構成する左側部３２１の内面（右面）、基板支持部（挿入部）３２０を構成する前側部３２３の内面（後面）及び基板支持部（挿入部）３２０を構成する右側部３２２の内面（左面））のうちの上端部分全域に亘って設けるよう構成しても良い。
【００８１】
囲繞カバー部３３０は、例えば図８（ａ），（ｂ）、図１０（ａ），（ｂ），（ｃ）、図２３（ａ），（ｂ）に示すように、開口閉塞部３１０と、基板支持部（挿入部）３２０を構成する前側部３２３と、の間に懸架されており、第２ケース部材３００に取り付けられた遊技制御基板１１０に実装されている制御デバイス１１２を囲繞するための囲繞カバー本体部３３１と、囲繞カバー本体部３３１を支持するための囲繞カバー本体支持部３３２と、により構成されている。
【００８２】
囲繞カバー部３３０は、閉止状態において、囲繞カバー本体部３３１が収納空間Ｓ＊の内部から露出用切欠部２２１を介して収納空間Ｓ＊の外部に突出した状態で、囲繞カバー本体支持部３３２が露出用切欠部２２１を塞ぐよう構成されている。すなわち、第１ケース部材２００の上壁２２０は、囲繞カバー部３３０の上部よりも遊技制御基板１１０寄りに配置されているので、基板ボックス１２０の薄型化が可能となる。
また、囲繞カバー部３３０は、開口閉塞部３１０と、基板支持部（挿入部）３２０を構成する前側部３２３と、の間に懸架されているので、囲繞カバー部３３０によって、フレーム状の第２ケース部材３００（特に基板支持部（挿入部）３２０）を補強することが可能となる。
【００８３】
また、制御デバイス１１２は、例えば図２３（ａ），（ｂ）に示すように、ＺＩＰタイプのデバイスであり、制御デバイス１１２の脚部（端子部）が制御デバイス１１２（制御デバイス１１２本体部）の下面から突出している。したがって、制御デバイス１１２は、制御デバイス１１２本体部が遊技制御基板１１０の表面１１０ａから離間した状態で、遊技制御基板１１０に実装されている。そして、囲繞カバー部３３０は、例えば図２３（ｂ）に示すように、当該囲繞カバー部３３０の下面（具体的には、囲繞カバー本体部３３１の下面及び囲繞カバー本体支持部３３２の下面）が、制御デバイス１１２本体部の下面よりも遊技制御基板１１０に近接するよう形成されている。
【００８４】
囲繞カバー本体部３３１は、その外形が略直方体形状を呈してなるとともに、その下部に制御デバイス１１２を挿入可能なデバイス挿入口３３１ａを有する凹室状の空間が内部に形成されており、当該凹室状の空間内に制御デバイス１１２を収納することが可能となるよう構成されている。すなわち、囲繞カバー本体部３３１は、制御デバイス１１２を下方から挿入することが可能となるよう構成されている。
なお、囲繞カバー本体部３３１には、当該囲繞カバー本体部３３１の内部の熱を外部に放出するための放熱フィン（例えば、金属片等）が、例えば当該囲繞カバー本体部３３１の内面から外面に亘って設けられていても良い。この場合には、制御デバイス１１２の識別情報等が印字された面と対向する囲繞カバー本体部３３１の側壁以外の側壁に設けられていることが望ましく、このようにすることで制御デバイス１１２の識別情報の視認性を確保できる。
【００８５】
囲繞カバー本体支持部３３２は、囲繞カバー本体部３３１の外面のうちの下端部分から外側に向けて突設されており、例えば図１０（ａ）に示すように、第２ケース部材３００に遊技制御基板１１０を取り付けた状態において、当該遊技制御基板１１０の表面１１０ａのうちの、制御デバイス１１２が実装されている領域の周囲に設けられた非実装領域に対応する位置に、開口閉塞部３１０の当接部３１１ａから基板支持部（挿入部）３２０を構成する前側部３２３までに亘って形成されている。そして、囲繞カバー本体支持部３３２は、閉止状態において第１ケース部材２００の上壁２２０に下方から重合して露出用切欠部２２１を塞ぐよう構成されている。
【００８６】
ここで、前述したように、非実装領域のうちの、制御デバイス１１２の印字面１１２ａ側（本実施形態では右側）の幅Ｌ１２は、制御デバイス１１２の印字面１１２ａ側とは反対側（本実施形態では左側）の幅Ｌ１１よりも大きくなるよう設定されている。そして、それに対応して、本実施形態では、例えば図１０（ｂ）、図２３（ｂ）に示すように、囲繞カバー本体支持部３３２の右部（具体的には、囲繞カバー本体支持部３３２のうちの囲繞カバー本体部３３１よりも右側の部分）の幅Ｌ２２は、囲繞カバー本体支持部３３２の左部（具体的には、囲繞カバー本体支持部３３２のうちの囲繞カバー本体部３３１よりも左側の部分）の幅Ｌ２１よりも大きくなるよう設定されている。すなわち、デバイス挿入口３３１ａは、囲繞カバー本体支持部３３２のうちの左右方向中央よりも左側の位置に配置されている。
【００８７】
なお、本実施形態では、例えば図８（ｂ）に示すように、デバイス挿入口３３１ａの後端が囲繞カバー本体支持部３３２の後端と略一致するとともに、デバイス挿入口３３１ａの前端が囲繞カバー本体支持部３３２の前端よりも後側に位置するよう構成し、かつ、例えば図８（ａ）に示すように、囲繞カバー本体部３３１を構成する後側壁部の外面（後面）と開口閉塞部３１０の当接部３１１ａの後面とが略面一となるとともに、囲繞カバー本体部３３１を構成する前側壁部の外面（前面）が基板支持部（挿入部）３２０を構成する前側部３２３よりも後側に位置するよう構成したが、これに限ることはなく、囲繞カバー本体部３３１によって制御デバイス１１２を囲繞することができるのであれば、囲繞カバー本体支持部３３２に対する囲繞カバー本体部３３１の前後方向の位置は任意である。
【００８８】
ここで、本実施形態では、囲繞カバー本体部３３１を構成する後側壁部の外面（後面）と開口閉塞部３１０の当接部３１１ａの後面とが略面一であるのに対し、囲繞カバー本体部３３１を構成する前側壁部の外面（前面）が基板支持部（挿入部）３２０を構成する前側部３２３よりも後側に位置している。したがって、閉止状態において、露出用切欠部２２１のうちの挿入開口２００ａ側の端部は、囲繞カバー本体部３３１や当接部３１１ａで閉塞されるが、露出用切欠部２２１のうちの挿入開口２００ａ側とは反対側の端部は、閉塞されない。そのため、このままでは、遊技制御基板１１０への不正アクセス等のために、露出用切欠部２２１のうちの挿入開口２００ａ側とは反対側の端部から針金やピアノ線などが挿入されるといった不都合が発生し易いが、本実施形態では、前述したように、侵入防止壁２２３を設けて露出用切欠部２２１のうちの挿入開口２００ａ側とは反対側の端部を含む部分を閉塞しているので、当該不都合を回避することができる。
【００８９】
また、囲繞カバー本体支持部３３２は、例えば図８（ａ）、図２０に示すように、閉止状態への変換時に第１ケース部材２００のスライドガイド溝部２２２にスライド係合することが可能なスライドガイド壁３３２ａを有している。
具体的には、スライドガイド壁３３２ａは、囲繞カバー本体支持部３３２の上面のうちの左端部分全域及び右端部分全域のそれぞれから上側に向けて突設されている。すなわち、スライドガイド壁３３２ａは、収納空間Ｓ＊の奥行き方向（前後方向）に延設されている。
これにより、遊技制御基板１１０への不正アクセス等を回避することが可能となる。すなわち、露出用切欠部２２１の左側の縁部や右側の縁部から針金やピアノ線などが挿入されても、スライドガイド壁３３２ａが、当該縁部から挿入された針金やピアノ線などの基板ボックス１２０の内部（閉止空間Ｓ内）への侵入を防止する返し構造になっているので、遊技制御基板１１０への不正アクセス等を回避することが可能となる。
【００９０】
なお、本実施形態では、スライドガイド壁３３２ａを、囲繞カバー本体支持部３３２の上面のうちの左端部分全域及び右端部分全域のそれぞれから上側に向けて突設するよう構成したが、これに限ることはなく、スライドガイド壁３３２ａがスライドガイド溝部２２２にスライド可能に係合することによって、第１ケース部材２００に対する第２ケース部材３００のスライド挿入を的確に行うことができるのであれば、スライドガイド壁３３２ａを設ける位置やスライドガイド壁３３２ａの構成は任意である。
【００９１】
ここで、第２ケース部材３００は、例えば図１９（ｂ）に示すように、当該第２ケース部材３００に遊技制御基板１１０を取り付けた状態において、当該遊技制御基板１１０との間に第１の間隙Ｇ１１，Ｇ１２を有した状態で当該遊技制御基板１１０の外周を囲繞している。
【００９２】
具体的には、例えば図８（ｂ）に示すように、開口閉塞部３１０の側方閉塞部３１６を構成する左側壁部の内面（右面）と、基板支持部（挿入部）３２０を構成する左側部３２１の内面（右面）と、は略面一となっており、第２ケース部材３００は、例えば図１９（ｂ）に示すように、当該第２ケース部材３００に遊技制御基板１１０を取り付けた状態において、これら内面と、当該遊技制御基板１１０の左端部と、の間に第１の間隙Ｇ１１（左側用）が形成されるよう構成されている。
また、例えば図８（ｂ）に示すように、開口閉塞部３１０の側方閉塞部３１６を構成する右側壁部の内面（左面）と、基板支持部（挿入部）３２０を構成する右側部３２２の内面（左面）と、は略面一となっており、第２ケース部材３００は、例えば図１９（ｂ）に示すように、当該第２ケース部材３００に遊技制御基板１１０を取り付けた状態において、これら内面と、当該遊技制御基板１１０の右端部と、の間に第１の間隙Ｇ１２（右側用）が形成されるよう構成されている。
【００９３】
一方、第２ケース部材３００の囲繞カバー部３３０は、例えば図１９（ｂ）に示すように、当該第２ケース部材３００に遊技制御基板１１０を取り付けた状態において、当該遊技制御基板１１０に実装されている制御デバイス１１２との間に第１の間隙Ｇ１１，Ｇ１２よりも大きな第２の間隙Ｇ２１，Ｇ２２を有した状態で当該制御デバイス１１２の周囲を囲繞している。
【００９４】
具体的には、第２ケース部材３００の囲繞カバー部３３０は、当該第２ケース部材３００に遊技制御基板１１０を取り付けた状態において、当該囲繞カバー部３３０の囲繞カバー本体部３３１を構成する左側壁部の内面（右面）と、当該遊技制御基板１１０に実装されている制御デバイス１１２の左面と、の間に左側用の第１の間隙Ｇ１１よりも大きな第２の間隙Ｇ２１（左側用）が形成されるよう構成されている。
また、第２ケース部材３００の囲繞カバー部３３０は、当該第２ケース部材３００に遊技制御基板１１０を取り付けた状態において、当該囲繞カバー部３３０の囲繞カバー本体部３３１を構成する右側壁部の内面（左面）と、当該遊技制御基板１１０に実装されている制御デバイス１１２の右面（本実施形態では印字面１１２ａ）と、の間に右側用の第１の間隙Ｇ１２よりも大きな第２の間隙Ｇ２２（右側用）が形成されるよう構成されている。
【００９５】
このように、第２ケース部材３００に遊技制御基板１１０を取り付けた状態において、第１の間隙Ｇ１１，Ｇ１２や第２の間隙Ｇ２１，Ｇ２２が形成されるので、第２ケース部材３００に遊技制御基板１１０を取り付ける際の作業性が向上する。
また、第１の間隙Ｇ１１，Ｇ１２よりも第２の間隙Ｇ２１，Ｇ２２の方が大きいので、第２ケース部材３００に対する遊技制御基板１１０の取り付け時や取り付け後には、制御デバイス１１２が囲繞カバー部３３０の囲繞カバー本体部３３１に衝接する前に、遊技制御基板１１０の端部が基板支持部（挿入部）３２０に衝接することとなる。すなわち、第２ケース部材３００に対する遊技制御基板１１０の取り付け時や取り付け後における制御デバイス１１２の囲繞カバー本体部３３１への衝接を防止できるため、制御デバイス１１２の破損や故障などの不都合を回避することが可能となる。
【００９６】
なお、左側用の第２の間隙Ｇ２１が左側用の第１の間隙Ｇ１１よりも大きく、右側用の第２の間隙Ｇ２２が右側用の第１の間隙Ｇ１２よりも大きいのであれば、第１の間隙Ｇ１１，Ｇ１２や第２の間隙Ｇ２１，Ｇ２２の大きさは任意であり、左側用の第１の間隙Ｇ１１と右側用の第１の間隙Ｇ１２とは同一であっても異なっていても良いし、左側用の第２の間隙Ｇ２１と右側用の第２の間隙Ｇ２２とは同一であっても異なっていても良い。
【００９７】
また、前述したように、囲繞カバー部３３０の囲繞カバー本体支持部３３２のうちの右部の幅Ｌ２２は、左部の幅Ｌ２１よりも大きくなるよう設定されている。そのため、囲繞カバー部３３０の囲繞カバー本体部３３１は、例えば図２３（ｂ）に示すように、当該囲繞カバー本体部３３１を構成する右側壁部が、当該囲繞カバー本体部３３１を構成する左側壁部よりも第１ケース部材２００から離間しており、第１ケース部材２００の上壁２２０と、当該囲繞カバー本体部３３１を構成する右側壁部と、の間には遊技制御装置１００側に向けて窪んだ視認段部Ｄが形成されている。これにより、遊技制御装置１００の外部から制御デバイス１１２の印字面１１２ａ全体を視認することが可能となっている。
すなわち、囲繞カバー本体部３３１を構成する右側壁部が、当該囲繞カバー本体部３３１を構成する左側壁部と同程度に第１ケース部材２００と近接している場合には、上壁２２０が邪魔になって、制御デバイス１１２の印字面１１２ａ全体（特に印字面１１２ａの下部）が視認し難い。これに対し、本実施形態では、囲繞カバー本体部３３１を構成する右側壁部が、当該囲繞カバー本体部３３１を構成する左側壁部よりも第１ケース部材２００から離間しており、視認段部Ｄが形成されているので、上壁２２０が邪魔になることなく、遊技制御装置１００の外部から制御デバイス１１２の印字面１１２ａ全体を視認することが可能となっている。
【００９８】
また、本実施形態では、前述したように、第１ケース部材２００の上壁２２０のうちの、制御デバイス１１２の印字面１１２ａに対向する部分（すなわち、印字面１１２ａに対向する視認段部Ｄに落ち込む角部）に、面取り部２２２ａが形成されている。これにより、制御デバイス１１２の印字面１１２ａ全体が視認し易くなっている。
すなわち、上壁２２０のうちの、制御デバイス１１２の印字面１１２ａに対向する部分に、面取り部２２２ａが形成されていない場合には、囲繞カバー本体部３３１を構成する右側壁部が第１ケース部材２００から離間して視認段部Ｄが形成されていても、上壁２２０のうちの視認段部Ｄに落ち込む角部が邪魔になって、制御デバイス１１２の印字面１１２ａ全体（特に印字面１１２ａの下部）が視認し難い。これに対し、本実施形態では、上壁２２０のうちの制御デバイス１１２の印字面１１２ａに対向する部分に面取り部２２２ａが形成されているので、視認段部Ｄに落ち込む角部が邪魔になることなく、遊技制御装置１００の外部から制御デバイス１１２の印字面１１２ａ全体を視認することが可能となっている。
【００９９】
さらに、本実施形態では、前述したように、囲繞カバー部３３０の下面（具体的には、囲繞カバー本体部３３１の下面及び囲繞カバー本体支持部３３２の下面）が、制御デバイス１１２本体部の下面よりも遊技制御基板１１０に近接している。これにより、制御デバイス１１２の印字面１１２ａ全体が視認し易くなるとともに、制御デバイス１１２の脚部近傍に不正な部品等が取り付け難くなっている。
すなわち、囲繞カバー部３３０の下面が制御デバイス１１２本体部の下面よりも遊技制御基板１１０に近接していない場合には、囲繞カバー本体部３３１を構成する右側壁部が第１ケース部材２００から離間して視認段部Ｄが形成されていても、囲繞カバー本体支持部３３２が邪魔になって、制御デバイス１１２の印字面１１２ａ全体（特に印字面１１２ａの下部）が視認し難い。これに対し、本実施形態では、囲繞カバー部３３０の下面が制御デバイス１１２本体部の下面よりも遊技制御基板１１０に近接しているので、囲繞カバー本体支持部３３２が邪魔になることなく、遊技制御装置１００の外部から制御デバイス１１２の印字面１１２ａ全体を視認することが可能となっている。
【０１００】
次に、基板ボックス１２０が備える封止手段について説明する。
遊技制御装置１００は、例えば図３、図４に示すように、封止手段として、第１ケース部材２００及び第２ケース部材３００の左側端に設けられた左側端封止手段４００と、第１ケース部材２００及び第２ケース部材３００の右側端に設けられた右側端封止手段５００と、第１ケース部材２００及び第２ケース部材３００の前側端に設けられた挿入端封止手段６００，６００と、を備えている。
【０１０１】
封止手段のうちの左側端封止手段４００は、例えば図４に示すように、第１ケース部材２００に設けられて、収納空間Ｓ＊内に配置された（閉止空間Ｓに収納された）遊技制御基板１１０の左側方に位置する左第１固着部４１０と、左第１固着部４１０に対応させて第２ケース部材３００に設けられて、収納空間Ｓ＊内に配置された（閉止空間Ｓに収納された）遊技制御基板１１０の左側方に位置する左第２固着部４２０と、左第１固着部４１０と左第２固着部４２０とに挿通されて、当該左第１固着部４１０と当該左第２固着部４２０とを固着するための左固着部材４３０，４３０と、を備えて構成される。
ここで、左固着部材４３０は、一方向（螺合方向）にしか廻せないワンウェイねじであり、一旦螺合すると取り外すことができないよう構成されている。すなわち、左固着部材４３０は、左第１固着部４１０と左第２固着部４２０とをかしめるよう構成されている。
【０１０２】
左第１固着部４１０は、例えば図５（ａ），（ｂ）、図６（ｂ）、図７（ａ）に示すように、第１ケース部材２００の左側壁２３０の外面（左面）から外側（左側）に向けて突設されている。
具体的には、左第１固着部４１０は、第１ケース部材２００に直接設けられた左第１内側固着部４１１と、左第１内側固着部４１１に設けられて、当該左第１内側固着部４１１よりも外側（左側）に位置する左第１外側固着部４１２と、左第１内側固着部４１１と左第１外側固着部４１２とを分離可能に連結する左第１脆弱部４１３と、を備えている。すなわち、左第１内側固着部４１１及び左第１外側固着部４１２は、左第１脆弱部４１３を介して、閉止空間Ｓに収納された遊技制御基板１１０の厚み方向（上下方向）に直交する方向（左右方向）に並んで配設されている。
【０１０３】
左第２固着部４２０は、例えば図８（ａ），（ｂ）、図９（ｂ）に示すように、閉止状態において左第１固着部４１０と重合するよう、第２ケース部材３００の側方閉塞部３１６を構成する左側壁部の外面（左面）から外側（左側）に向けて突設されている。
具体的には、左第２固着部４２０は、第２ケース部材３００に直接設けられた左第２内側固着部４２１と、左第２内側固着部４２１に設けられて、当該左第２内側固着部４２１よりも外側（左側）に位置する左第２外側固着部４２２と、左第２内側固着部４２１と左第２外側固着部４２２とを分離可能に連結する左第２脆弱部４２３と、を備えている。すなわち、左第２内側固着部４２１及び左第２外側固着部４２２は、左第２脆弱部４２３を介して、閉止空間Ｓに収納された遊技制御基板１１０の厚み方向（上下方向）に直交する方向（左右方向）に並んで配設されている。
【０１０４】
本実施形態では、左第２固着部４２０の前後方向の長さは、第２ケース部材３００の開口閉塞部３１０の前後方向の長さの約半分となるよう設定されている。また、左第１固着部４１０の前後方向の長さは、左第２固着部４２０の前後方向の長さと略同一となるよう設定されている。
そして、例えば図５（ａ）に示すように、左第１固着部４１０の後端部（後端面）は、第１ケース部材２００の左側壁２３０の後端部と面一となるよう設定されている。また、例えば図８（ｂ）に示すように、左第２固着部４２０の前端部（前端面）は、第２ケース部材３００の当接部３１１ａの前面と面一となるよう設定されている。すなわち、閉止状態において、左第１固着部４１０の後端面と、左第２固着部４２０の前端面と、は当接（重合）するよう構成されている。
【０１０５】
また、本実施形態では、例えば図２１（ａ）に示すように、左第１固着部４１０の外面及び左第２固着部４２０の外面は、閉止状態において互いに面一となるよう設定されている。
したがって、前述したように、第２ケース部材３００の左右方向の長さは収納空間Ｓ＊の左右方向の長さと略同一となるよう設定されているので、第２ケース部材３００の左右方向の長さは第１ケース部材２００（具体的には、第１ケース部材２００の前後方向中央部及び前部）の左右方向の長さよりも短いが、その分だけ、左第２固着部４２０の左右方向の長さが、左第１固着部４１０の左右方向の長さよりも長くなっている。すなわち、第２ケース部材３００は、当該第２ケース部材３００に設けられた左第２固着部４２０によって、閉止状態において挿入開口２００ａの縁部（具体的には、第１ケース部材２００の左側壁２３０の後端部）と接合するよう構成されている。
【０１０６】
左第１内側固着部４１１には、例えば図６（ｂ）に示すように、左固着部材４３０を螺合するねじ止め部が前後方向に沿って形成されている。具体的には、左第１内側固着部４１１は、開放端部が第１ケース部材２００に接続された略コ字形状を呈してなり、前端部は開口しているが、後端部（他方（左第２内側固着部４２１）と重合する側）は閉口している。そして、左第１内側固着部４１１の内部には、当該左第１内側固着部４１１の後端部に左固着部材４３０の頭部は通過不能で左固着部材４３０の軸部は通過可能な開口を有する左固着部材４３０用のねじ止め部が形成されている。
左第２内側固着部４２１には、例えば図９（ｂ）に示すように、左固着部材４３０を挿通可能な貫通孔が前後方向に沿って形成されている。具体的には、左第２内側固着部４２１は、開放端部が第２ケース部材３００に接続された略コ字形状を呈してなり、後端部は開口しているが、前端部（他方（左第１内側固着部４１１）と重合する側）は閉口している。そして、左第２内側固着部４２１の内部には、左第２内側固着部４２１の内面と第２ケース部材３００の外面とによって左固着部材４３０が挿通可能な空間が形成されており、左第２内側固着部４２１の前端部には、左固着部材４３０の頭部は通過不能で左固着部材４３０の軸部は通過可能なねじ孔が形成されている。
【０１０７】
左第１外側固着部４１２には、例えば図６（ｂ）に示すように、左固着部材４３０を挿通可能な貫通孔が前後方向に沿って形成されている。具体的には、左第１外側固着部４１２は、平面部が左第１内側固着部４１１に対向する略Ｄ字形状を呈してなり、前端部は開口しているが、後端部（他方（左第２外側固着部４２２）と重合する側）は閉口している。そして、左第１外側固着部４１２の内部には、左固着部材４３０が挿通可能な空間が形成されており、左第１外側固着部４１２の後端部には、左固着部材４３０の頭部は通過不能で左固着部材４３０の軸部は通過可能なねじ孔が形成されている。
左第２外側固着部４２２には、例えば図９（ｂ）に示すように、左固着部材４３０を螺合するねじ止め部が前後方向に沿って形成されている。具体的には、左第２外側固着部４２２は、平面部が左第２内側固着部４２１に対向する略Ｄ字形状を呈してなり、後端部は開口しているが、前端部（他方（左第１外側固着部４１２）と重合する側）は閉口している。そして、左第２外側固着部４２２の内部には、当該左第２外側固着部４２２の前端部に左固着部材４３０の頭部は通過不能で左固着部材４３０の軸部は通過可能な開口を有する左固着部材４３０用のねじ止め部が形成されている。
【０１０８】
そして、例えば図２５に示すように、閉止状態において、左第１外側固着部４１２と左第２外側固着部４２２とは、当該左第１外側固着部４１２が有するねじ孔と、当該左第２外側固着部４２２が有するねじ止め部の開口と、が対向する状態で重合し、左第１外側固着部４１２の開口した前端部から当該左第１外側固着部４１２の内部（貫通孔）に挿通した左固着部材４３０の先端部分を、左第２外側固着部４２２が有するねじ止め部に螺合することによって、第１ケース部材２００と第２ケース部材３００とを離反不能に結合するよう構成されている。
【０１０９】
また、閉止状態において、左第１内側固着部４１１と左第２内側固着部４２１とは、当該左第１内側固着部４１１が有するねじ止め部の開口と、当該左第２内側固着部４２１が有するねじ孔と、が対向する状態で重合し、左第２内側固着部４２１の開口した後端部から当該左第２内側固着部４２１の内部（貫通孔）に挿通した左固着部材４３０の先端部分を、左第１内側固着部４１１が有するねじ止め部に螺合することによって、第１ケース部材２００と第２ケース部材３００とを離反不能に結合するよう構成されている。
ここで、本実施形態において、左第１内側固着部４１１及び左第２内側固着部４２１は、副固着部（後述）であるので、例えば図２５に示すように、主固着部（後述）である左第１外側固着部４１２及び左第２外側固着部４２２によって第１ケース部材２００と第２ケース部材３００とが結合されている際は、左第２内側固着部４２１の内部（貫通孔）を挿通した左固着部材４３０の先端部分は、左第１内側固着部４１１が有するねじ止め部には螺合（本締め）されず、当該ねじ止め部の開口や左第２内側固着部４２１が有するねじ孔などに仮締めされた状態となっている。
【０１１０】
すなわち、左第１固着部４１０及び左第２固着部４２０は、収納空間Ｓ＊内に配置された（閉止空間Ｓに収納された）遊技制御基板１１０の厚み方向（上下方向）に直交する方向（前後方向）に重合するよう構成されている。
そして、左固着部材４３０は、左第１固着部４１０と左第２固着部４２０との重合方向、すなわち左第１固着部４１０と左第２固着部４２０との重合面に直交する方向（前後方向）に沿って挿通されて、当該左第１固着部４１０と当該左第２固着部４２０とを重合した状態で固着するよう構成されている。
【０１１１】
封止手段のうちの右側端封止手段５００は、例えば図４に示すように、第１ケース部材２００に設けられて、収納空間Ｓ＊内に配置された（閉止空間Ｓに収納された）遊技制御基板１１０の右側方に位置する右第１固着部５１０と、右第１固着部５１０に対応させて第２ケース部材３００に設けられて、収納空間Ｓ＊内に配置された（閉止空間Ｓに収納された）遊技制御基板１１０の右側方に位置する右第２固着部５２０と、右第１固着部５１０と右第２固着部５２０とに挿通されて、当該右第１固着部５１０と当該右第２固着部５２０とを固着するための右固着部材５３０，５３０と、を備えて構成される。
ここで、右固着部材５３０は、左固着部材４３０と同様、一方向（螺合方向）にしか廻せないワンウェイねじであり、一旦螺合すると取り外すことができないよう構成されている。すなわち、右固着部材５３０は、右第１固着部５１０と右第２固着部５２０とをかしめるよう構成されている。
【０１１２】
右第１固着部５１０は、例えば図５（ａ），（ｂ）、図６（ａ）に示すように、第１ケース部材２００の右側壁２４０の外面（右面）から外側（右側）に向けて突設されている。
具体的には、右第１固着部５１０は、第１ケース部材２００に直接設けられた右第１内側固着部５１１と、右第１内側固着部５１１に設けられて、当該右第１内側固着部５１１よりも外側（右側）に位置する右第１外側固着部５１２と、右第１内側固着部５１１と右第１外側固着部５１２とを分離可能に連結する右第１脆弱部５１３と、を備えている。すなわち、右第１内側固着部５１１及び右第１外側固着部５１２は、右第１脆弱部５１３を介して、閉止空間Ｓに収納された遊技制御基板１１０の厚み方向（上下方向）に直交する方向（左右方向）に並んで配設されている。
【０１１３】
右第２固着部５２０は、例えば図８（ａ），（ｂ）、図９（ａ）に示すように、閉止状態において右第１固着部５１０と重合するよう、第２ケース部材３００の側方閉塞部３１６を構成する右側壁部の外面（右面）から外側（右側）に向けて突設されている。
具体的には、右第２固着部５２０は、第２ケース部材３００に直接設けられた右第２内側固着部５２１と、右第２内側固着部５２１に設けられて、当該右第２内側固着部５２１よりも外側（右側）に位置する右第２外側固着部５２２と、右第２内側固着部５２１と右第２外側固着部５２２とを分離可能に連結する右第２脆弱部５２３と、を備えている。すなわち、右第２内側固着部５２１及び右第２外側固着部５２２は、右第２脆弱部５２３を介して、閉止空間Ｓに収納された遊技制御基板１１０の厚み方向（上下方向）に直交する方向（左右方向）に並んで配設されている。
【０１１４】
本実施形態では、右側端封止手段５００の前後方向の長さは、当該右側端封止手段５００の外面に電子タグシール１３０を貼着できるよう、左側端封止手段４００の前後方向の長さよりも長くなるよう設定されている。
具体的には、右第２内側固着部５２１の前後方向の長さは、第２ケース部材３００の開口閉塞部３１０の前後方向の長さの約半分となるよう設定されており、右第２外側固着部５２２は、当該右第２外側固着部５２２の前後方向の長さが、右第２内側固着部５２１の前後方向の長さよりも長くなるよう設定されているとともに、当該右第２外側固着部５２２のうちの後端部分が右第２脆弱部５２３を介して右第２内側固着部５２１に連結されている。また、右第１内側固着部５１１の前後方向の長さは、右第２外側固着部５２２の前後方向の長さと同一となるよう設定されており、右第１外側固着部５１２は、当該右第１外側固着部５１２の前後方向の長さが、右第２内側固着部５２１の前後方向の長さと同一となるよう設定されているとともに、右第１脆弱部５１３を介して右第１内側固着部５１１のうちの前端部分に連結されている。
そして、例えば図５（ａ）に示すように、右第１内側固着部５１１の後端部（後端面）は、第１ケース部材２００の右側壁２４０の後端部と面一となるよう設定されている。また、例えば図８（ａ）に示すように、右第２内側固着部５２１の前端部（前端面）は、第２ケース部材３００の当接部３１１ａの前面と面一となるよう設定されている。
【０１１５】
ここで、閉止状態において、右第１固着部５１０の後端面と、右第２固着部５２０の前端面と、は当接（重合）するよう構成されているが、外側固着部の重合境界（具体的には、右第１外側固着部５１２と右第２外側固着部５２２との重合境界）の前後方向の位置と、内側固着部の重合境界（具体的には、右第１内側固着部５１１と右第２内側固着部５２１との重合境界）の前後方向の位置と、が一致しない状態で、右第１固着部５１０の後端面と、右第２固着部５２０の前端面と、は当接（重合）している。
【０１１６】
すなわち、例えば図２１（ａ）、図２５に示すように、左側端封止手段４００においては、外側固着部の重合境界（具体的には、左第１外側固着部４１２と左第２外側固着部４２２との重合境界）の位置と、内側固着部の重合境界（具体的には、左第１内側固着部４１１と左第２内側固着部４２１との重合境界）の位置と、は重合方向（前後方向）に一致している。それに対し、右側端封止手段５００においては、外側固着部の重合境界（具体的には、右第１外側固着部５１２と右第２外側固着部５２２との重合境界）の位置と、内側固着部の重合境界（具体的には、右第１内側固着部５１１と右第２内側固着部５２１との重合境界）の位置と、は重合方向（前後方向）にずれており、外側固着部の重合境界は、内側固着部の重合境界よりも前側に位置している。
【０１１７】
また、本実施形態では、例えば図２１（ａ），（ｂ）に示すように、右第１固着部５１０の外面及び右第２固着部５２０の外面は、閉止状態において互いに面一となるよう設定されている。
したがって、前述したように、第２ケース部材３００の左右方向の長さは収納空間Ｓ＊の左右方向の長さと略同一となるよう設定されているので、第２ケース部材３００の左右方向の長さは第１ケース部材２００（具体的には、第１ケース部材２００の前後方向中央部及び前部）の左右方向の長さよりも短いが、その分だけ、右第２固着部５２０の左右方向の長さが、右第１固着部５１０の左右方向の長さよりも長くなっている。すなわち、第２ケース部材３００は、当該第２ケース部材３００に設けられた右第２固着部５２０によって、閉止状態において挿入開口２００ａの縁部（具体的には、第１ケース部材２００の右側壁２４０の後端部）と接合するよう構成されている。
【０１１８】
右第１内側固着部５１１には、例えば図６（ａ）に示すように、右固着部材５３０を螺合するねじ止め部が前後方向に沿って形成されている。具体的には、右第１内側固着部５１１は、開放端部が第１ケース部材２００に接続された略コ字形状を呈してなり、前端部は開口しているが、後端部（他方（右第２内側固着部５２１）と重合する側）は閉口している。そして、右第１内側固着部５１１の内部には、当該右第１内側固着部５１１の後端部に右固着部材５３０の頭部は通過不能で右固着部材５３０の軸部は通過可能な開口を有する右固着部材５３０用のねじ止め部が形成されている。
右第２内側固着部５２１には、例えば図９（ａ）に示すように、右固着部材５３０を挿通可能な貫通孔が前後方向に沿って形成されている。具体的には、右第２内側固着部５２１は、開放端部が第２ケース部材３００に接続された略コ字形状を呈してなり、後端部は開口しているが、前端部（他方（右第１内側固着部５１１）と重合する側）は閉口している。そして、右第２内側固着部５２１の内部には、右第２内側固着部５２１の内面と第２ケース部材３００の外面とによって右固着部材５３０が挿通可能な空間が形成されており、右第２内側固着部５２１の前端部には、右固着部材５３０の頭部は通過不能で右固着部材５３０の軸部は通過可能なねじ孔が形成されている。
【０１１９】
右第１外側固着部５１２には、例えば図６（ａ）に示すように、右固着部材５３０を螺合するねじ止め部が前後方向に沿って形成されている。具体的には、右第１外側固着部５１２は、平面部が右第１内側固着部５１１に対向する略Ｄ字形状を呈してなり、前端部は開口しているが、後端部（他方（右第２外側固着部５２２）と重合する側）は閉口している。そして、右第１外側固着部５１２の内部には、当該右第１外側固着部５１２の後端部に右固着部材５３０の頭部は通過不能で右固着部材５３０の軸部は通過可能な開口を有する右固着部材５３０用のねじ止め部が形成されている。
右第２外側固着部５２２には、例えば図９（ａ）に示すように、右固着部材５３０を挿通可能な貫通孔が前後方向に沿って形成されている。具体的には、右第２外側固着部５２２は、平面部が右第２内側固着部５２１に対向する略Ｄ字形状を呈してなり、後端部は開口しているが、前端部（他方（右第１外側固着部５１２）と重合する側）は閉口している。そして、右第２外側固着部５２２の内部には、右固着部材５３０が挿通可能な空間が形成されており、右第２外側固着部５２２の前端部には、右固着部材５３０の頭部は通過不能で右固着部材５３０の軸部は通過可能なねじ孔が形成されている。
【０１２０】
すなわち、左側端封止手段４００の外側固着部においては、第１固着部側（すなわち、左第１外側固着部４１２）に固着部材を挿通可能な貫通孔が形成されて、第２固着部側（すなわち、左第２外側固着部４２２）に当該固着部材を螺合するねじ止め部が形成されているのに対し、右側端封止手段５００の外側固着部においては、第２固着部側（すなわち、右第２外側固着部５２２）に固着部材を挿通可能な貫通孔が形成されて、第１固着部側（すなわち、右第１外側固着部５１２）に当該固着部材を螺合するねじ止め部が形成されている。
このように、左側端封止手段４００と右側端封止手段５００とで固着部材（ワンウェイねじ）の挿通の向きを異ならせることによって、固着部材の取り外しが一層困難になるので、基板ボックス１２０の不正開封等を十分に回避することが可能となる。
【０１２１】
そして、例えば図２５に示すように、閉止状態において、右第１外側固着部５１２と右第２外側固着部５２２とは、当該右第１外側固着部５１２が有するねじ止め部の開口と、当該右第２外側固着部５２２が有するねじ孔と、が対向する状態で重合し、右第２外側固着部５２２の開口した後端部から当該右第２外側固着部５２２の内部（貫通孔）に挿通した右固着部材５３０の先端部分を、右第１外側固着部５１２が有するねじ止め部に螺合することによって、第１ケース部材２００と第２ケース部材３００とを離反不能に結合するよう構成されている。
【０１２２】
また、閉止状態において、右第１内側固着部５１１と右第２内側固着部５２１とは、当該右第１内側固着部５１１が有するねじ止め部の開口と、当該右第２内側固着部５２１が有するねじ孔と、が対向する状態で重合し、右第２内側固着部５２１の開口した後端部から当該右第２内側固着部５２１の内部（貫通孔）に挿通した右固着部材５３０の先端部分を、右第１内側固着部５１１が有するねじ止め部に螺合することによって、第１ケース部材２００と第２ケース部材３００とを離反不能に結合するよう構成されている。
ここで、本実施形態において、右第１内側固着部５１１及び右第２内側固着部５２１は、副固着部（後述）であるので、例えば図２５に示すように、主固着部（後述）である右第１外側固着部５１２及び右第２外側固着部５２２によって第１ケース部材２００と第２ケース部材３００とが結合されている際は、右第２内側固着部５２１の内部（貫通孔）を挿通した右固着部材５３０の先端部分は、右第１内側固着部５１１が有するねじ止め部には螺合（本締め）されず、当該ねじ止め部の開口や右第２内側固着部５２１が有するねじ孔などに仮締めされた状態となっている。
【０１２３】
すなわち、右第１固着部５１０及び右第２固着部５２０は、収納空間Ｓ＊内に配置された（閉止空間Ｓに収納された）遊技制御基板１１０の厚み方向（上下方向）に直交する方向（前後方向）に重合するよう構成されている。
そして、右固着部材５３０は、右第１固着部５１０と右第２固着部５２０との重合方向、すなわち右第１固着部５１０と右第２固着部５２０との重合面に直交する方向（前後方向）に沿って挿通されて、当該右第１固着部５１０と当該右第２固着部５２０とを重合した状態で固着するよう構成されている。
【０１２４】
ここで、本実施形態では、外側固着部（左第１外側固着部４１２及び左第２外側固着部４２２、右第１外側固着部５１２及び右第２外側固着部５２２）が、第１ケース部材２００と第２ケース部材３００とを最初に結合するための主固着部となっており、内側固着部（左第１内側固着部４１１及び左第２内側固着部４２１、右第１内側固着部５１１及び右第２内側固着部５２１）が、主固着部による結合の解除後に第１ケース部材２００と第２ケース部材３００とを再結合するための副固着部となっている。
すなわち、本実施形態では、まず、外側固着部（主固着部）によって第１ケース部材２００と第２ケース部材３００とを離反不能に結合する。
そして、当該結合を解除する場合は、内側固着部（副固着部）から外側固着部（主固着部）を切り離すように脆弱部（左第１脆弱部４１３及び左第２脆弱部４２３、右第１脆弱部５１３及び右第２脆弱部５２３）を切断する。すなわち、固着部材（ワンウェイねじ）によって一度固着された第１固着部（左第１外側固着部４１２、右第１外側固着部５１２）と第２固着部（左第２外側固着部４２２、右第２外側固着部５２２）との固着は容易に解除できないため、外側固着部（主固着部）による結合を解除して基板ボックス１２０を開封するためには、外側固着部（主固着部）を内側固着部（副固着部）から切り離し、左側端封止手段４００や右側端封止手段５００を不可逆的に破壊する必要がある。これにより、基板ボックス１２０の開封を困難にすることができるとともに、基板ボックス１２０が開封されても当該開封の履歴が残るので、基板ボックス１２０の不正開封等を十分に回避することが可能となる。
さらに、外側固着部（主固着部）による結合の解除後に再び第１ケース部材２００と第２ケース部材３００とを結合する場合は、内側固着部（副固着部）によって第１ケース部材２００と第２ケース部材３００とを離反不能に結合する。
【０１２５】
なお、本実施形態では、左第１脆弱部４１３を、左第１内側固着部４１１の上下方向中央よりも上側の所定位置と左第１外側固着部４１２のうちの当該上側の所定位置に対向する位置とを連結する前後方向に長尺な連結板と、左第１内側固着部４１１の上下方向中央よりも下側の所定位置と左第１外側固着部４１２のうちの当該下側の所定位置に対向する位置とを連結する前後方向に長尺な連結板と、によって構成したが、これに限ることはなく、左第１脆弱部４１３の位置で分離可能となるよう左第１内側固着部４１１と左第１外側固着部４１２とを連結できるのであれば、左第１脆弱部４１３の構成は任意である。
その他の脆弱部（すなわち、左第２脆弱部４２３、右第１脆弱部５１３及び右第２脆弱部５２３）についても同様に、その構成は任意である。
【０１２６】
封止手段のうちの挿入端封止手段６００は、例えば図４に示すように、第１ケース部材２００及び第２ケース部材３００の前側端の左右二箇所に設けられており、それぞれ、第１ケース部材２００に設けられて、収納空間Ｓ＊内に配置された（閉止空間Ｓに収納された）遊技制御基板１１０の前側方に位置する前第１固着部６１０と、前第１固着部６１０に対応させて第２ケース部材３００に設けられて、収納空間Ｓ＊内に配置された（閉止空間Ｓに収納された）遊技制御基板１１０の前側方に位置する前第２固着部６２０と、前第１固着部６１０と前第２固着部６２０とに挿通されて、当該前第１固着部６１０と当該前第２固着部６２０とを固着するための前固着部材６３０と、を備えて構成される。
ここで、前固着部材６３０は、左固着部材４３０や右固着部材５３０と同様、一方向（螺合方向）にしか廻せないワンウェイねじであり、一旦螺合すると取り外すことができないよう構成されている。すなわち、前固着部材６３０は、前第１固着部６１０と前第２固着部６２０とをかしめるよう構成されている。
【０１２７】
前第２固着部６２０は、例えば図８（ａ），（ｂ）、図９（ａ），（ｂ）に示すように、閉止状態において前第１固着部６１０と重合するよう、第２ケース部材３００の基板支持部（挿入部）３２０を構成する前側部３２３の外面（前面）から外側（前側）に向けて突設されている。
前述したように、基板支持部（挿入部）３２０の前後方向の長さは、収納空間Ｓ＊の前後方向の長さと略同一となるよう設定されているので、第２ケース部材３００は、閉止状態への変換時に挿入開口２００ａから収納空間Ｓ＊内へとスライド挿入されて、閉止状態において前側部３２３（挿入先端部）が第１ケース部材２００を構成する前側壁２５０（奥側壁）と隣接するようになっている。前第２固着部６２０は、当該前側部３２３の外面のうちの、第１ケース部材２００が有する挿通口２５１に対応する位置に突設されており、閉止状態において挿通口２５１から収納空間Ｓ＊の外部に突出するよう構成されている。そして、前第２固着部６２０のうちの、閉止状態において収納空間Ｓ＊の外部に突出する部分には、前固着部材６３０の軸部を挿通可能なねじ孔が左右方向に沿って形成されている。
【０１２８】
前第１固着部６１０は、例えば図５（ａ），（ｂ）、図６（ａ），（ｂ）に示すように、第１ケース部材２００の前側壁２５０の外面（前面）から外側（前側）に向けて突設されている。
具体的には、前第１固着部６１０は、第１ケース部材２００を構成する前側壁２５０の外面のうちの挿通口２５１に対応する位置に設けられており、閉止状態において当該挿通口２５１から突出した前第２固着部６２０を内包するよう構成されている。
【０１２９】
前第１固着部６１０は、例えば図６（ａ），（ｂ）に示すように、内部に挿通口２５１から突出した前第２固着部６２０を収容可能な空間が形成された収容部６１０ａと、内部に前固着部材６３０を挿通可能な貫通孔が左右方向に沿って形成された筒状部６１０ｂと、内部に前固着部材６３０を螺合するねじ止め部が左右方向に沿って形成されたねじ受部６１０ｃと、を有しており、当該前第１固着部６１０と第１ケース部材２００とを分離可能に連結する前第１脆弱部６１１を介して、第１ケース部材２００に直接設けられている。
【０１３０】
ここで、前第１固着部６１０は、前第１脆弱部６１１を介して第１ケース部材２００に設けられているので、前第１固着部６１０を破壊する（すなわち、前第１固着部６１０を第１ケース部材２００から切り離す）ことは容易である。しかしながら、閉止状態においては前第１固着部６１０が前第２固着部６２０を内包した状態で前固着部材６３０が挿通しているので、基板ボックス１２０を開封するためには前第１固着部６１０と前第２固着部６２０との両方を切断する必要がある。
また、前第１固着部６１０と前第２固着部６２０との両方が切断されたとしても、挿通口２５１は、前第２固着部６２０のうちの切断されなかった残りの部分（すなわち、前第２固着部６２０のうちの挿通口２５１内に配置されている部分）により塞がれている。そのため、前第１固着部６１０と前第２固着部６２０との両方が切断されたとしても、挿通口２５１から針金やピアノ線などを挿入することはできないので、副固着部により基板ボックス１２０を封止した際に挿通口２５１を介した遊技制御基板１１０への不正アクセス等を回避することが可能となる。
【０１３１】
筒状部６１０ｂは、収容部６１０ａよりも外側（左側の前第１固着部６１０の場合は収容部６１０ａの左側、右側の前第１固着部６１０の場合は収容部６１０ａの右側）に位置している。そして、筒状部６１０ｂの内部には、前固着部材６３０が挿通可能な空間が形成されており、当該空間は、前固着部材６３０の頭部は通過不能で前固着部材６３０の軸部は通過可能なねじ孔を介して収容部６１０ａの内部（前第２固着部６２０を収容可能な空間）と連通されている。
また、ねじ受部６１０ｃは、収容部６１０ａよりも内側（左側の前第１固着部６１０の場合は収容部６１０ａの右側、右側の前第１固着部６１０の場合は収容部６１０ａの左側）に位置している。そして、ねじ受部６１０ｃの内部には、前固着部材６３０の頭部は通過不能で前固着部材６３０の軸部は通過可能な開口を有する前固着部材６３０用のねじ止め部が形成されており、当該ねじ止め部は、当該ねじ止め部の開口を介して収容部６１０ａの内部（前第２固着部６２０を収容可能な空間）と連通されている。
【０１３２】
そして、例えば図２６（ａ），（ｂ）に示すように、閉止状態において、前第１固着部６１０と前第２固着部６２０とは、当該前第１固着部６１０が有するねじ孔及びねじ止め部の開口と、当該前第２固着部６２０が有するねじ孔と、が対向する状態で重合し、前第１固着部６１０を構成する筒状部６１０ｂの開口した端部（左側の前第１固着部６１０の場合は筒状部６１０ｂの開口した左端部、右側の前第１固着部６１０の場合は筒状部６１０ｂの開口した右端部）から当該筒状部６１０ｂの内部（貫通孔）及び前第２固着部６２０が有するねじ孔に挿通した前固着部材６３０の先端部分を、前第１固着部６１０を構成するねじ受部６１０ｃが有するねじ止め部に螺合することによって、第１ケース部材２００と第２ケース部材３００とを離反不能に結合するよう構成されている。
すなわち、前第２固着部６２０は、閉止状態において挿通口２５１から収納空間Ｓ＊の外部に突出して、前第１固着部６１０と重合（当接）するよう構成されている。
また、前固着部材６３０は、閉止状態において収納空間Ｓ＊内に配置された遊技制御基板１１０の厚み方向（上下方向）と、第２ケース部材３００のスライド方向（前後方向）と、の双方に直交する方向（左右方向）に沿って、収納空間Ｓ＊の外部で重合した前第１固着部６１０と前第２固着部６２０とに挿通されて、当該前第１固着部６１０と当該前第２固着部６２０とを重合した状態で固着するよう構成されている。
【０１３３】
なお、本実施形態では、前第１脆弱部６１１を、筒状部６１０ｂの上下方向中央よりも上側の所定位置と第１ケース部材２００のうちの当該上側の所定位置に対向する位置とを連結する左右方向に長尺な連結板と、筒状部６１０ｂの上下方向中央よりも下側の所定位置と第１ケース部材２００のうちの当該下側の所定位置に対向する位置とを連結する左右方向に長尺な連結板と、収容部６１０ａの基端部と、によって構成したが、これに限ることはなく、前第１脆弱部６１１の位置で分離可能となるよう前第１固着部６１０と第１ケース部材２００とを連結できるのであれば、前第１脆弱部６１１の構成は任意である。
【０１３４】
次に、基板ボックス１２０が備える貼着領域Ｒと、当該貼着領域Ｒに貼着される電子タグシール１３０と、について説明する。
【０１３５】
貼着領域Ｒは、例えば図２２（ａ）に示すように、右側端封止手段５００の第１固着部（右第１固着部５１０）と第２固着部（右第２固着部５２０）とに跨って形成されている。
具体的には、前述したように、右第１固着部５１０の外面及び右第２固着部５２０の外面は、閉止状態において互いに面一となるよう設定されており、貼着領域Ｒは、当該右第１固着部５１０の外面（具体的には、右第１内側固着部５１１の外面及び右第１外側固着部５１２の外面）と、当該右第２固着部５２０の外面（具体的には、右第２内側固着部５２１の外面及び右第２外側固着部５２２の外面）と、に跨って形成されている。すなわち、貼着領域Ｒは、右側端封止手段５００において、主固着部（右第１外側固着部５１２及び右第２外側固着部５２２）と、副固着部（右第１内側固着部５１１及び右第２内側固着部５２１）と、に跨って形成されている。
したがって、右第１固着部５１０と右第２固着部５２０との重合境界と、脆弱部（右第１脆弱部５１３及び右第２脆弱部５２３）と、の双方が貼着領域Ｒを横断している。
【０１３６】
電子タグシール１３０は、遊技機１０が設置された遊技場の店員等が、所定の読取装置を用いて当該電子タグシール１３０が有する電子タグ１３１から当該電子タグシール１３０が貼着された遊技制御装置１００を識別するための識別情報を読み取って、遊技制御装置１００の不正交換等を確認するためのものである。
具体的には、電子タグシール１３０は、例えば図１３（ａ），（ｂ），（ｃ）に示すように、長尺状に形成されたＲＦＩＣタグ等の電子タグ１３１と、矩形状に形成されたベースシール１３２と、により構成されている。
【０１３７】
ベースシール１３２は、一方の面が粘着面になっており、他方の面に「開封禁止」の文字等が印字されている。
【０１３８】
電子タグ１３１は、ベースシール１３２の粘着面のうちの一方の対角線上に貼り付けられており、遊技制御装置１００固有の識別情報を記憶するチップ部１３１ａと、当該チップ部１３１ａが記憶する識別情報を発信可能なアンテナ部１３１ｂ，１３１ｂと、当該チップ部１３１ａと当該アンテナ部１３１ｂ，１３１ｂとを支持するタグシート１３１ｃと、を有している。
タグシート１３１ｃは、例えば図１３（ｂ）に示すように、長尺状に形成されており、当該タグシート１３１ｃの中央部にチップ部１３１ａが配設されているとともに、チップ部１３１ａの両端から突出した線状のアンテナ部１３１ｂ，１３１ｂが当該タグシート１３１ｃの長手方向に沿って配設されている。
【０１３９】
ここで、電子タグ１３１がベースシール１３２の対角線上に貼り付けられているので、貼着領域Ｒに貼着された電子タグシール１３０においては、第１固着部と第２固着部との重合境界（具体的には、右第１内側固着部５１１と右第２内側固着部５２１との重合境界、右第１外側固着部５１２と右第２外側固着部５２２との重合境界）と、電子タグ１３１と、が交差している。これにより、基板ボックス１２０を開封するために第１固着部と第２固着部との重合を解除すると、当該重合部分（重合境界）で電子タグ１３１が破損することになるので、基板ボックス１２０の不正開封を抑制できるとともに、基板ボックス１２０の不正開封を発見し易くすることができる。
また、電子タグ１３１がベースシール１３２の対角線上に貼り付けられているので、貼着領域Ｒに貼着された電子タグシール１３０においては、脆弱部（具体的には、右第１脆弱部５１３、右第２脆弱部５２３）と、電子タグ１３１と、が交差している。これにより、基板ボックス１２０を開封するために脆弱部を破壊して外側固着部を内側固着部から切り離すと、当該脆弱部で電子タグ１３１が破損することになるので、基板ボックス１２０の不正開封を抑制できるとともに、基板ボックス１２０の不正開封を発見し易くすることができる。
なお、電子タグ１３１には、第１固着部と第２固着部との重合解除や、脆弱部の破壊などに伴って破損し易くなるよう、脆弱部（例えば、切れ込み部）が設けられていても良い。
【０１４０】
次に、基板ボックス１２０が備える保護カバー部材７００について説明する。
保護カバー部材７００は、貼着領域Ｒに貼着された電子タグシール１３０を保護するとともに、右側端封止手段５００を保護するための部材であり、右側端封止手段５００（右第１固着部５１０と右第２固着部５２０）に取り付けられて、保護カバー部材７００の内部に右側端封止手段５００を収納した状態で電子タグシール１３０を被覆するよう構成されている。
【０１４１】
具体的には、保護カバー部材７００は、例えば図１２（ａ），（ｂ）に示すように、その前面視（或いは後面視）外形が略Ｄ字形状を呈してなり、一側部（平面部（左側部））に開口を有する凹室状の空間が当該保護カバー部材７００の内部に形成されている。
そして、保護カバー部材７００は、例えば透光性の合成樹脂で形成されており、当該保護カバー部材７００の内部に収納された右側端封止手段５００や当該保護カバー部材７００で被覆された電子タグシール１３０を遊技制御装置１００の外部から視認できるようになっているとともに、電子タグシール１３０からの電波（具体的には、電子タグ１３１から発信された識別情報）を通すことができるようになっている。
【０１４２】
保護カバー部材７００は、当該保護カバー部材７００の内部（凹室状の空間）の前後方向の長さが、右側端封止手段５００の前後方向の長さと略同一又はそれよりも若干長くなるよう設定されているとともに、当該保護カバー部材７００の内部（凹室状の空間）の左右方向の長さが、右側端封止手段５００の左右方向の長さと略同一又はそれよりも若干長くなるよう設定されている。
具体的には、保護カバー部材７００は、例えば図２２（ｂ）に示すように、閉止状態において、当該保護カバー部材７００の左端部略全域が、第１ケース部材２００（具体的には、補強リブ２１１のうちの右端部分全域のリブの右面、右側壁２４０の外面（右面）、ストッパー２４１の右面等）及び第２ケース部材３００（具体的には、側方閉塞部３１６を構成する右側壁部の外面（右面）等）に当接し、かつ、当該保護カバー部材７００の内面に設けられた突起部７０１ａ，７０２ａ（後述）が、第１ケース部材２００に設けられた右第１外側固着部５１２の開口した前端部や第２ケース部材３００に設けられた右第２外側固着部５２２の開口した後端部に嵌まるよう形成されている。
【０１４３】
例えば図１２（ａ），（ｂ）に示すように、保護カバー部材７００を構成する前側壁部７０１及び後側壁部７０２において、当該前側壁部７０１のうちの左側部分及び当該後側壁部７０２のうちの左側部分は、保護カバー部材７００を構成する湾曲壁部７０３に連結されているのに対し、当該前側壁部７０１のうちの右側部分及び当該後側壁部７０２のうちの右側部分は、湾曲壁部７０３に連結されていない。そのため、前側壁部７０１のうちの右側部分及び後側壁部７０２のうちの右側部分は、左側部分を支点として、前後方向に弾性変形可能となっている。
【０１４４】
前側壁部７０１は、当該前側壁部７０１の内面（後面）のうちの右側部分に、保護カバー部材７００を右側端封止手段５００に取り付けた状態において、当該右側端封止手段５００を構成する右第１固着部５１０の外側固着部（すなわち、右第１外側固着部５１２）の開口した前端部に嵌合可能な突起部７０１ａを有している。
また、同様に、後側壁部７０２は、当該後側壁部７０２の内面（前面）のうちの右側部分に、保護カバー部材７００を右側端封止手段５００に取り付けた状態において、当該右側端封止手段５００を構成する右第２固着部５２０の外側固着部（すなわち、右第２外側固着部５２２）の開口した後端部に嵌合可能な突起部７０２ａを有している。
すなわち、保護カバー部材７００は、突起部７０１ａが右第１外側固着部５１２の開口した前端部に嵌まることによって、及び／又は、突起部７０２ａが右第２外側固着部５２２の開口した後端部に嵌まることによって、右側端封止手段５００に固定されるよう構成されている。
【０１４５】
突起部７０１ａ，７０２ａのうちの右側部分は、その端部が、前側壁部７０１や後側壁部７０２の内面に対して垂直に起立しているのに対し、突起部７０１ａ，７０２ａのうちの左側部分は、内側（左側）に向かうにつれて徐々に突出度合いが小さくなる傾斜面となっている。
このように、保護カバー部材７００は、右側端封止手段５００に容易に取り付けることができるよう構成されているとともに、一旦右側端封止手段５００に取り付けられると、当該右側端封止手段５００から容易に取り外すことができないよう構成されている。
【０１４６】
具体的には、保護カバー部材７００を右側端封止手段５００に取り付ける際には、前側壁部７０１のうちの右側部分や後側壁部７０２のうちの右側部分を外側（具体的には、前側壁部７０１の場合は前側、後側壁部７０２の場合は後側）に向けて変形させるよう、右側端封止手段５００が、突起部７０１ａ，７０２ａの傾斜面に沿って、前側壁部７０１のうちの右側部分と後側壁部７０２のうちの右側部分との間隔を押し広げていく。そのため、突起部７０１ａ，７０２ａが邪魔になることがなく、保護カバー部材７００を右側端封止手段５００に容易に取り付けることが可能となる。
そして、保護カバー部材７００が右側端封止手段５００に取り付けられると、前側壁部７０１のうちの右側部分及び後側壁部７０２のうちの右側部分が元の状態に復帰して、当該前側壁部７０１が有する突起部７０１ａが、当該右側端封止手段５００を構成する右第１外側固着部５１２の開口した前端部に嵌まるとともに、当該後側壁部７０２が有する突起部７０２ａが、当該右側端封止手段５００を構成する右第２外側固着部５２２の開口した後端部に嵌まる。これにより、保護カバー部材７００を右側端封止手段５００に固定することが可能となる。
一方、保護カバー部材７００を右側端封止手段５００から取り外す際には、突起部７０１ａ，７０２ａのうちの右側部分の端部（すなわち、前側壁部７０１や後側壁部７０２の内面に対して垂直に起立している部分）が、右第１外側固着部５１２や右第２外側固着部５２２の内面に引っかかる。そのため、突起部７０１ａ，７０２ａが邪魔になって、保護カバー部材７００を右側端封止手段５００から取り外すことが困難となる。
【０１４７】
すなわち、固着部材（右固着部材５３０）を第１固着部（右第１外側固着部５１２）と第２固着部（右第２外側固着部５２２）とに挿通する際に当該固着部材が通る貫通孔（右第２外側固着部５２２の内部）によって係合受部が構成されているとともに、保護カバー部材７００の内面に形成されて、貫通孔（右第２外側固着部５２２の内部）に嵌まる突起部７０２ａによって係合部が構成されている。そして、保護カバー部材７００は、係合部が係合受部に係合することで第１固着部（右第１外側固着部５１２）及び第２固着部（右第２外側固着部５２２）に取り付けられるよう構成されている。
【０１４８】
また、突起部７０１ａ，７０２ａは、第１ケース部材２００と第２ケース部材３００とを最初に結合するための主固着部、すなわち副固着部よりも先に破壊される主固着部（右第１外側固着部５１２、右第２外側固着部５２２）のみに係合するので、主固着部が破壊されると、保護カバー部材７００を取り付けることができなくなる。そのため、第１ケース部材２００と第２ケース部材３００との最初の結合解除（すなわち、主固着部の破壊）による基板ボックス１２０の不正開封を抑制できるとともに、第１ケース部材２００と第２ケース部材３００との最初の結合解除（すなわち、主固着部の破壊）による基板ボックス１２０の不正開封を発見し易くすることができる。
【０１４９】
次に、遊技制御装置１００の組み立て方の一例について説明する。
まず、例えば図１８（ａ）に示すように、遊技制御基板１１０に実装されている複数のコネクタ１１６のうちの該当するコネクタ１１６に端子カバー部材１６０を装着する。
次いで、例えば図１８（ｂ）に示すように、遊技制御基板１１０を第２ケース部材３００に取り付けて、なべネジ１７０で固定する。
次いで、例えば図２０に示すように、第２ケース部材３００を挿入開口２００ａから収納空間Ｓ＊内へとスライド挿入して、当該収納空間Ｓ＊を閉止する。具体的には、第２ケース部材３００のスライドガイド壁３３２ａ，３３２ａの挿入先端側の端部（前端部）を、第１ケース部材２００のスライドガイド溝部２２２，２２２の挿入開口２００ａ側の端部（後端部）に挿入し、その状態のまま、第２ケース部材３００を第１ケース部材２００に対して前方向へと移動させて、挿入開口２００ａを当該第２ケース部材３００で閉塞する。
【０１５０】
次いで、例えば図２５に示すように、左側端封止手段４００の外側固着部（左第１外側固着部４１２及び左第２外側固着部４２２）を左固着部材４３０で固着（本締め）するとともに、右側端封止手段５００の外側固着部（右第１外側固着部５１２及び右第２外側固着部５２２）を右固着部材５３０で固着（本締め）する。そして、左第１外側固着部４１２の開口した前端部から封印キャップＣを挿入し、超音波溶着等によって当該封印キャップＣを左第１外側固着部４１２の内面に溶着するとともに、右第２外側固着部５２２の開口した後端部から封印キャップＣを挿入し、超音波溶着等によって当該封印キャップＣを右第２外側固着部５２２の内面に溶着する。
また、例えば図２５に示すように、左側端封止手段４００の内側固着部（左第２内側固着部４２１）に左固着部材４３０を挿入して仮締めするとともに、右側端封止手段５００の内側固着部（右第２内側固着部５２１）に右固着部材５３０を挿入して仮締めする。
また、例えば図２６（ａ），（ｂ）に示すように、挿入端封止手段６００の固着部（前第１固着部６１０及び前第２固着部６２０）を前固着部材６３０で固着（本締め）する。そして、前第１固着部６１０の筒状部６１０ｂの開口した端部から封印キャップＣを挿入し、超音波溶着等によって当該封印キャップＣを筒状部６１０ｂの内面に溶着する。
このように、封印キャップＣによって本締めされた固着部材を封印しているので、本締めされた固着部材が直接いじられることを回避することができる。
【０１５１】
次いで、例えば図２２（ａ）に示すように、右側端封止手段５００の貼着領域Ｒに電子タグシール１３０を貼着する。
最後に、例えば図２２（ｂ）に示すように、右側端封止手段５００に保護カバー部材７００を取り付けることによって、遊技制御装置１００を組み立てることができる。
そして、組み立てられた遊技制御装置１００を遊技機１０に搭載する際には、例えば、基板ボックス１２０の側面に設けられた取付部（図示省略）が有するネジ孔になべネジ（図示省略）を挿通して、当該なべネジによって遊技盤３０の背面に設けられる取付ベース等に固定する。
【０１５２】
以上説明した第１実施形態の遊技機１０によれば、第１ケース部材２００は、一側部に表面を上に向けた状態の制御基板１１０を側方から挿入可能な挿入開口２００ａを有する凹室状の収納空間Ｓ＊を画成し、第２ケース部材３００は、第１ケース部材２００と合体した状態で挿入開口２００ａの縁部と接合して当該挿入開口２００ａを閉塞することが可能な開口閉塞部３１０を有するとともに、制御基板１１０を取り付け可能であり、挿入開口２００ａを介して第２ケース部材３００に取り付けられた制御基板１１０を収納空間Ｓ＊内に臨ませて基板ボックス１２０を閉止状態へ変換すると、挿入開口２００ａが開口閉塞部３１０で閉塞されることにより収納空間Ｓ＊が閉止されて閉止空間Ｓが画成されるよう構成されている。
【０１５３】
具体的には、表面１１０ａに遊技制御用の電子部品１１１及びコネクタ１１６が実装される遊技制御基板１１０と、当該遊技制御基板１１０を内部に収納するための基板ボックス１２０と、を備えた遊技機１０において、基板ボックス１２０は、一側部に表面を上に向けた状態の遊技制御基板１１０を側方から挿入可能な挿入開口２００ａを有する凹室状の収納空間Ｓ＊を画成する第１ケース部材２００と、第１ケース部材２００と合体した状態で挿入開口２００ａの縁部と接合して当該挿入開口２００ａを閉塞することが可能な開口閉塞部３１０を有するとともに、遊技制御基板１１０を取り付けることが可能な第２ケース部材３００と、第１ケース部材２００の挿入開口２００ａを第２ケース部材３００の開口閉塞部３１０で閉塞して収納空間Ｓ＊を閉止する閉止状態を保持したまま、第１ケース部材２００と第２ケース部材３００とを離反不能に結合することが可能な封止手段（左側端封止手段４００、右側端封止手段５００）と、を備え、遊技制御基板１１０は、第２ケース部材３００に取り付けられた状態で基板ボックス１２０が閉止状態へ変換される際に挿入開口２００ａから収納空間Ｓ＊内へとスライド挿入されて、閉止状態において収納空間Ｓ＊内に配置されるよう構成されている。
【０１５４】
すなわち、制御基板１１０を第２ケース部材３００に取り付けた状態で基板ボックス１２０を閉止状態に変換するだけで、制御基板１１０を挿入開口２００ａを介して収納空間部Ｓ＊内へスライド挿入することができる。
また、制御基板１１０が第１ケース部材２００の一側部に設けられた挿入開口２００ａから収納空間Ｓ＊内に配置された状態で当該挿入開口２００ａが第２ケース部材３００の開口閉塞部で塞がれて収納空間Ｓ＊が閉止される。すなわち、第１ケース部材２００と第２ケース部材３００との接合部分は、基板ボックス１２０の一側部のみに形成されるので、基板ボックスが上方に開口する下蓋と下方に開口する上蓋とからなり基板ボックスの側部全域（四周）に亘って接合部分が形成される場合と比較して、接合部分を少なくすることができる。そのため、容易に隙間を生じさせることができなくなるので、接合部分に生じた隙間に薄板状の工具等が挿入されることで基板ボックス１２０が不正にこじ開けられてしまったり、接合部分に生じた隙間から針金やピアノ線などが挿入されることで遊技制御基板１１０への不正アクセスが行われてしまったりする可能性が低くなる。
したがって、基板ボックス１２０の組み付け作業を複雑にすることなく、遊技制御基板１１０への不正行為を十分に抑制することが可能となる。
【０１５５】
また、第１実施形態の遊技機１０によれば、制御基板（遊技制御基板１１０）は、その外形が矩形状を呈してなり、第１ケース部材２００は、その外形が遊技制御基板１１０の外形に対応する直方体形状を呈してなるとともに、その長手方向に沿った互いに対向する側部のうちの何れか一方に挿入開口２００ａが形成されている。
【０１５６】
すなわち、第１ケース部材２００の短手方向に沿って第２ケース部材３００を収納空間Ｓ＊内へとスライド挿入するだけで、閉止状態へと変換することができる。したがって、第１ケース部材の長手方向に沿って第２ケース部材をスライド挿入する場合に比べて、スライド量が少なくて済むので、基板ボックス１２０を組み付ける際の作業性が向上する。
【０１５７】
また、第１実施形態の遊技機１０によれば、電子部品１１１には、記憶された遊技プログラムに従って遊技の制御を行う遊技用マイクロコンピュータ（制御デバイス１１２）と、実装時の高さが当該制御デバイス１１２よりも低い面実装部品（その他の電子部品１１１）と、が含まれ、第２ケース部材３００は、制御基板（遊技制御基板１１０）を下方から取り付けることが可能であるとともに、当該第２ケース部材３００に遊技制御基板１１０を取り付けた状態において、当該遊技制御基板１１０との間に第１の間隙Ｇ１１，Ｇ１２を有した状態で当該遊技制御基板１１０の外周を囲繞するとともに、前記面実装部品を上方に露出させることが可能な枠状を呈してなり、制御デバイス１１２を下方から挿入することが可能であるとともに、当該第２ケース部材３００に遊技制御基板１１０を取り付けた状態において、当該遊技制御基板１１０に実装された制御デバイス１１２との間に第１の間隙Ｇ１１，Ｇ１２よりも大きな第２の間隙Ｇ２１，Ｇ２２を有した状態で当該制御デバイス１１２の周囲を囲繞することが可能な囲繞カバー部３３０を備えるよう構成されている。
【０１５８】
したがって、第２ケース部材３００に遊技制御基板１１０を取り付けた状態において、第２ケース部材３００と遊技制御基板１１０との間に第１の間隙Ｇ１１，Ｇ１２が形成されるとともに、第２ケース部材３００に遊技制御基板１１０を取り付けた状態において、囲繞カバー部３３０と制御デバイス１１２との間に第２の間隙Ｇ２１，Ｇ２２が形成されるので、このような間隙が形成されない場合と比較して、第２ケース部材３００に対する遊技制御基板１１０の取り付けを容易化することができる。
また、第１の間隙Ｇ１１，Ｇ１２よりも第２の間隙Ｇ２１，Ｇ２２の方が大きいので、第２ケース部材３００に対する遊技制御基板１１０の取り付け時や取り付け後に制御デバイス１１２が囲繞カバー部３３０の内面に衝接して破損してしまったり故障してしまったりするといった不都合を回避することができる。また、第２ケース部材が制御基板の外周を囲繞するとともに面実装部品を上方に露出させることが可能な枠状を呈しているため、面実装部品の上方を覆う場合に比べて制御基板の厚み方向の幅を抑える事ができ、収納空間が形成される第１ケース部材の厚み方向の幅も抑えられる。
【０１５９】
また、第１実施形態の遊技機１０によれば、挿入開口２００ａは、第１ケース部材２００の長手方向に沿った互いに対向する側部のうちの前記何れか一方となる側部から第１ケース部材２００の上部の一部にかけて開口し、制御基板（遊技制御基板１１０）は、その長手方向に沿った一方の端部側にコネクタ１１６が実装されるとともに、当該コネクタ１１６が開口閉塞部３１０側に位置し、かつ、当該遊技制御基板１１０の表面１１０ａが当該開口閉塞部３１０に対向するよう第２ケース部材３００に取り付けられ、開口閉塞部３１０は、制御基板１１０の表面１１０ａと対向するとともにコネクタ１１６を基板ボックス１２０の外部に露出させるためのコネクタ用開口３１２を有し、挿入開口２００ａを上方から閉塞することが可能な上方閉塞部３１１と、挿入開口２００ａを側方から閉塞することが可能な側方閉塞部３１６と、を備えるよう構成されている。
【０１６０】
したがって、コネクタ１１６は、閉止状態において、開口閉塞部３１０側に位置し、当該開口閉塞部３１０が有するコネクタ用開口３１２から外部に露出されており、第１ケース部材２００が画成する収納空間Ｓ＊内に配置されていない。そのため、コネクタが収納空間内に配置される場合と比較して、第１ケース部材２００の厚みを抑制することができるので、基板ボックス１２０の薄型化が可能となる。
【０１６１】
また、第１実施形態の遊技機１０によれば、上方閉塞部３１１は、閉止状態において第１ケース部材２００の上壁２２０のうちの挿入開口２００ａ側の端部と当接する当接部３１１ａを有し、当接部３１１ａには、第１ケース部材２００の上壁２２０を下方から支持する下方支持部３１１ｂが設けられている。
【０１６２】
したがって、第１ケース部材２００の上壁２２０を下方から支持する下方支持部３１１ｂが設けられており、第１ケース部材２００の上壁２２０が下方へと変形してしまうことを抑制することができるので、第１ケース部材２００と第２ケース部材３００との間に隙間が生じてしまうことを抑制することができる。
【０１６３】
また、第１実施形態の遊技機１０によれば、当接部３１１ａには、第１ケース部材２００の上壁２２０を上方から支持する上方支持部３１１ｃが設けられている。
【０１６４】
したがって、第１ケース部材２００の上壁２２０を上方から支持する上方支持部３１１ｃが設けられており、第１ケース部材２００の上壁２２０が上方へと変形してしまうことを抑制することができるので、第１ケース部材２００と第２ケース部材３００との間に隙間が生じてしまうことを抑制することができる。
【０１６５】
また、第１実施形態の遊技機１０によれば、表面１１０ａに遊技制御用の電子部品１１１及びコネクタ１１６が実装される制御基板（遊技制御基板１１０）と、当該遊技制御基板１１０を内部に収納するための基板ボックス１２０と、を備えた遊技機１０において、基板ボックス１２０は、遊技制御基板１１０を収納するための閉止空間Ｓを画成する第１ケース部材２００及び第２ケース部材３００と、第１ケース部材２００と第２ケース部材３００とを合体させて閉止空間Ｓを画成する閉止状態を保持したまま、第１ケース部材２００と第２ケース部材３００とを離反不能に結合することが可能な封止手段（左側端封止手段４００、右側端封止手段５００）と、を備え、封止手段は、第１ケース部材２００に設けられて、閉止空間Ｓに収納された（収納空間Ｓ＊内に配置された）遊技制御基板１１０の側方に位置する第１固着部（左第１固着部４１０、右第１固着部５１０）と、第１固着部に対応させて第２ケース部材３００に設けられて、閉止空間Ｓに収納された（収納空間Ｓ＊内に配置された）遊技制御基板１１０の側方に位置する第２固着部（左第２固着部４２０、右第２固着部５２０）と、第１固着部と第２固着部とに挿通されて、当該第１固着部と当該第２固着部とを固着するための固着部材（左固着部材４３０、右固着部材５３０）と、を備え、第１固着部及び第２固着部は、閉止空間Ｓに収納された（収納空間Ｓ＊内に配置された）遊技制御基板１１０の厚み方向に直交する方向に重合し、固着部材は、第１固着部と第２固着部との重合方向に沿って挿通されて、当該第１固着部と当該第２固着部とを重合した状態で固着するよう構成されている。
【０１６６】
したがって、第１固着部及び第２固着部は、閉止空間Ｓに収納された（収納空間Ｓ＊内に配置された）遊技制御基板１１０の厚み方向に直交する方向に重合しているので、第１固着部及び第２固着部が閉止空間に収納された（収納空間内に配置された）遊技制御基板の厚み方向に重合している場合と比較して、封止手段が基板ボックス１２０の厚み方向に分厚くならない。そのため、基板ボックス１２０の厚みを抑制することができるので、基板ボックス１２０の薄型化が可能となる。
また、第１固着部及び第２固着部は、閉止空間Ｓに収納された（収納空間Ｓ＊内に配置された）遊技制御基板１１０の厚み方向に直交する方向に重合しているので、第１固着部及び第２固着部が閉止空間に収納された（収納空間内に配置された）遊技制御基板の厚み方向に重合している場合と比較して、封止手段の破壊（すなわち、第１固着部と第２固着部とのうちの少なくとも何れか一方の破壊）に伴い基板ボックス１２０の平面視（上面視）外形が大きく変化する。そのため、封止手段の破壊による基板ボックス１２０の不正開封を抑制できるとともに、封止手段の破壊による基板ボックス１２０の不正開封を発見し易くすることができる。
【０１６７】
また、第１実施形態の遊技機１０によれば、予め記憶された固有の識別情報を発信可能な電子タグ１３１を有する電子タグシール１３０を備え、第１固着部（左第１固着部４１０、右第１固着部５１０）は、第１ケース部材２００から外側に向けて突設され、第２固着部（左第２固着部４２０、右第２固着部５２０）は、閉止状態において第１固着部と重合するよう第２ケース部材３００から外側に向けて突設され、固着部材（左固着部材４３０、右固着部材５３０）は、第１固着部と第２固着部とを重合した状態で固着し、基板ボックス１２０は、電子タグシール１３０を貼着するための貼着領域Ｒを備え、貼着領域Ｒは、第１固着部（右第１固着部５１０）と第２固着部（右第２固着部５２０）とに跨って形成されている。
【０１６８】
したがって、貼着領域Ｒが第１固着部と第２固着部とに跨って形成されており、貼着領域Ｒを専用に確保する必要がないので、効率よく基板ボックス１２０に電子タグシール１３０を貼着することができる。
また、貼着領域Ｒが第１固着部と第２固着部とに跨って形成されているので、第１ケース部材２００と第２ケース部材３００との結合を解除（すなわち、基板ボックス１２０を開封）するために第１固着部と第２固着部との重合を解除すると、当該重合部分（重合境界）で電子タグシール１３０が破損することになる。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１６９】
また、第１実施形態の遊技機１０によれば、第１固着部（右第１固着部５１０）の外面及び第２固着部（右第２固着部５２０）の外面は、閉止状態において互いに面一となるよう設定され、貼着領域Ｒは、第１固着部の外面と第２固着部の外面とに跨って形成されている。
【０１７０】
したがって、貼着領域Ｒが互いに面一の第１固着部の外面と第２固着部の外面とに跨って形成されているので、封止手段（右側端封止手段５００）の破壊（すなわち、第１固着部と第２固着部とのうちの少なくとも何れか一方の破壊）に伴い、電子タグシール１３０が破損し易くなる。そのため、封止手段の破壊による基板ボックス１２０の不正開封を抑制できるとともに、封止手段の破壊による基板ボックス１２０の不正開封を発見し易くすることができる。
【０１７１】
また、第１実施形態の遊技機１０によれば、基板ボックス１２０は、貼着領域Ｒに貼着された電子タグシール１３０を保護するための保護カバー部材７００を備え、保護カバー部材７００は、第１固着部（右第１固着部５１０）及び第２固着部（右第２固着部５２０）に取り付けられている。
【０１７２】
したがって、保護カバー部材７００を第１固着部及び第２固着部に取り付ける構成となっているので、封止手段（右側端封止手段５００）を破壊して基板ボックス１２０を開封した後は、保護カバー部材７００を適正に再装着できなくなる。そのため、封止手段の破壊による基板ボックス１２０の不正開封を抑制できるとともに、封止手段の破壊による基板ボックス１２０の不正開封を発見し易くすることができる。
また、電子タグシール１３０を保護するための保護カバー部材７００を備えているので、電子タグシール１３０の不意の破損を防止することができる。
【０１７３】
また、第１実施形態の遊技機１０によれば、保護カバー部材７００は、その内部空間に封止手段（右側端封止手段５００）を収納した状態で電子タグシール１３０を被覆するよう構成されている。
具体的には、保護カバー部材７００は、一側部に開口を有する凹室状の内部空間が形成されてなり、第１固着部（右第１固着部５１０）及び第２固着部（右第２固着部５２０）に取り付けられると、当該保護カバー部材７００の内部空間に封止手段（右側端封止手段５００）を収納した状態で電子タグシール１３０を被覆するよう構成されている。
【０１７４】
したがって、封止手段は、保護カバー部材７００の内部空間に収納されており、外部から認識し難いので、封止手段の破壊による基板ボックス１２０の不正開封を抑制できる。
【０１７５】
また、本実施形態の遊技機１０によれば、保護カバー部材７００と、第１固着部（右第１固着部５１０）及び第２固着部（右第２固着部５２０）と、のうちの何れか一方には、係合部が形成されているとともに、何れか他方には、当該係合部が係合する係合受部が形成されており、保護カバー部材７００は、係合部が係合受部に係合することで第１固着部及び第２固着部に取り付けられるよう構成されている。
具体的には、固着部材（左固着部材４３０、右固着部材５３０）は、第１固着部（左第１固着部４１０、右第１固着部５１０）と第２固着部（左第２固着部４２０、右第２固着部５２０）とに挿通されて、当該第１固着部と当該第２固着部とを重合した状態で固着し、第１固着部と第２固着部とのうちの何れか一方には、固着部材を第１固着部と第２固着部とに挿通する際に当該固着部材が通る貫通孔が形成されており、係合受部は、当該貫通孔（右第２外側固着部５２２の内部）によって構成されており、係合部は、保護カバー部材７００の内面に形成されて、当該貫通孔に嵌まる突起部（突起部７０２ａ）によって構成されている。
【０１７６】
したがって、保護カバー部材と、第１固着部及び第２固着部と、のうちの何れか一方に係合部が形成されているとともに、何れか他方に係合受部が形成されており、保護カバー部材７００を取り付けるための専用の取り付け部材を備える必要がないので、部品点数を少なくすることができる。
また、固着部材が通る貫通孔によって係合受部が構成されているとともに、当該貫通孔に嵌まる突起部７０２ａによって係合受部が構成されているので、第１固着部及び第２固着部に保護カバー部材７００を被せるだけで、保護カバー部材７００を取り付けることができる。したがって、保護カバー部材７００の取り付け構造が簡易なので、基板ボックス１２０の構成を簡素化することができるとともに、基板ボックス１２０を組み付ける際の作業性を向上させることができる。
【０１７７】
また、第１実施形態の遊技機１０によれば、第１固着部（左第１固着部４１０、右第１固着部５１０）及び第２固着部（左第２固着部４２０、右第２固着部５２０）は、第１ケース部材２００と第２ケース部材３００とを最初に結合するための主固着部（左第１外側固着部４１２、右第１外側固着部５１２、左第２外側固着部４２２、右第２外側固着部５２２）と、主固着部による結合の解除後に第１ケース部材２００と第２ケース部材３００とを再結合するための副固着部（左第１内側固着部４１１、右第１内側固着部５１１、左第２内側固着部４２１、右第２内側固着部５２１）と、をそれぞれ備え、主固着部及び副固着部は、閉止空間Ｓに収納された制御基板（遊技制御基板１１０）の厚み方向に直交する方向に並んで配設されている。
【０１７８】
したがって、主固着部及び副固着部は、閉止空間Ｓに収納された遊技制御基板１１０の厚み方向に直交する方向に並んで配設されているので、主固着部及び副固着部といったように複数対の固着部を設けた場合であっても、封止手段（左側端封止手段４００、右側端封止手段５００）が基板ボックス１２０の厚み方向に分厚くならない。そのため、基板ボックス１２０の厚みを抑制することができるので、基板ボックス１２０の薄型化が可能となる。
また、複数対の固着部（主固着部及び副固着部）は、閉止空間Ｓに収納された遊技制御基板１１０の厚み方向に直交する方向に並んで配設されているので、複数対の固着部が閉止空間に収納された遊技制御基板からの距離がほぼ一定となるように並んで配設されている場合（すなわち、前後方向に並んで配設されている場合）と比較して、一対の固着部（主固着部又は副固着部）の破壊に伴い基板ボックス１２０の平面視外形が大きく変化する。そのため、封止手段の破壊による基板ボックス１２０の不正開封を抑制できるとともに、封止手段の破壊による基板ボックス１２０の不正開封を発見し易くすることができる。
【０１７９】
また、第１実施形態の遊技機１０によれば、第１固着部（左第１固着部４１０、右第１固着部５１０）及び第２固着部（左第２固着部４２０、右第２固着部５２０）は、主固着部（左第１外側固着部４１２、右第１外側固着部５１２、左第２外側固着部４２２、右第２外側固着部５２２）と副固着部（左第１内側固着部４１１、右第１内側固着部５１１、左第２内側固着部４２１、右第２内側固着部５２１）とを分離可能に連結する脆弱部（左第１脆弱部４１３、右第１脆弱部５１３、左第２脆弱部４２３、右第２脆弱部５２３）をそれぞれ備え、副固着部を閉止空間Ｓ寄りに配設するとともに、主固着部を脆弱部を介して前記副固着部の外側に配設した。
【０１８０】
したがって、第１固着部及び第２固着部は、主固着部と副固着部とを分離可能に連結する脆弱部を備えているので、主固着部である外側固着部が分離し易くなって、主固着部による結合を解除して基板ボックス１２０の検査開封する際の作業性が向上する。
また、主固着部は脆弱部を介して副固着部の外側に設けられているので、副固着部を切断すると主固着部も第１ケース部材２００及び第２ケース部材３００から取れてしまう。したがって、誤って副固着部を切断してしまうと、副固着部による封止だけでなく、主固着部による封止も不可能となる。そのため、副固着部の切断による基板ボックス１２０の不正開封を抑制できるとともに、副固着部の切断による基板ボックス１２０の不正開封を発見し易くすることができる。
【０１８１】
また、第１実施形態の遊技機１０によれば、貼着領域Ｒは、主固着部（左第１外側固着部４１２、右第２外側固着部５２２）と副固着部（右第１内側固着部５１１、右第２内側固着部５２１）とに跨って形成されている。
【０１８２】
したがって、貼着領域Ｒが主固着部と副固着部とに跨って形成されているので、第１ケース部材２００と第２ケース部材３００との最初の結合を解除するために主固着部を破壊すると、電子タグシール１３０も破損することになる。そのため、第１ケース部材２００と第２ケース部材３００との最初の結合解除による基板ボックス１２０の不正開封を抑制できるとともに、第１ケース部材２００と第２ケース部材３００との最初の結合解除による基板ボックス１２０の不正開封を発見し易くすることができる。
【０１８３】
また、第１実施形態の遊技機１０によれば、電子タグシール１３０は、脆弱部（右第１脆弱部５１３、右第２脆弱部５２３）と電子タグ１３１とが交差する状態で貼着領域Ｒに貼着されている。
【０１８４】
したがって、電子タグ１３１が脆弱部と交差しているので、脆弱部を破壊して外側固着部（右第１外側固着部５１２、右第２外側固着部５２２）を内側固着部（右第１内側固着部５１１、右第２内側固着部５２１）から切り離すと、当該脆弱部で電子タグ１３１が破損することになる。電子タグ１３１が破損すると、通信状態が悪くなり、識別情報が発信され難くなったり発信されなくなったりするため、所定の読取装置を電子タグシール１３０にかざすだけで、電子タグ１３１が破損しているか否か（すなわち、基板ボックス１２０が不正開封されたか否か）を検査することができる。そのため、脆弱部の破壊による基板ボックス１２０の不正開封を抑制できるとともに、脆弱部の破壊による基板ボックス１２０の不正開封を発見し易くすることができる。
【０１８５】
また、第１実施形態の遊技機１０によれば、電子タグ１３１は、識別情報を記憶するチップ部１３１ａと、当該チップ部１３１ａが記憶する識別情報を発信可能なアンテナ部１３１ｂと、を有する長尺状に形成され、電子タグシール１３０は、第１固着部（右第１固着部５１０）と第２固着部（右第２固着部５２０）との重合境界と、電子タグ１３１と、が交差する状態で貼着領域Ｒに貼着されている。
【０１８６】
したがって、電子タグ１３１が第１固着部と第２固着部との重合境界と交差しているので、第１ケース部材２００と第２ケース部材３００との結合を解除（すなわち、基板ボックス１２０を開封）するために第１固着部と第２固着部との重合を解除すると、当該重合部分（重合境界）で電子タグ１３１が破損することになる。電子タグ１３１が破損すると、通信状態が悪くなり、識別情報が発信され難くなったり発信されなくなったりするため、所定の読取装置を電子タグシール１３０にかざすだけで、電子タグ１３１が破損しているか否か（すなわち、基板ボックス１２０が不正開封されたか否か）を検査することができる。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１８７】
また、第１実施形態の遊技機１０によれば、表面１１０ａに遊技制御用の電子部品１１１及びコネクタ１１６が実装される制御基板（遊技制御基板１１０）と、当該遊技制御基板１１０を内部に収納するための基板ボックス１２０と、を備えた遊技機１０において、基板ボックス１２０は、一側部に挿入開口２００ａを有する凹室状の収納空間Ｓ＊を画成する第１ケース部材２００と、遊技制御基板１１０を収納空間Ｓ＊内に配置した状態で第１ケース部材２００と合体することが可能であるとともに、当該合体した状態で挿入開口２００ａの縁部と接合して当該挿入開口２００ａを閉塞することが可能な第２ケース部材３００と、第１ケース部材２００の挿入開口２００ａを第２ケース部材３００で閉塞して収納空間Ｓ＊を閉止する閉止状態を保持したまま、第１ケース部材２００と第２ケース部材３００とを離反不能に結合することが可能な封止手段（挿入端封止手段６００）と、を備え、第１ケース部材２００は、挿入開口２００ａに対向する凹室奥側壁（前側壁２５０）に挿通口２５１を有し、第２ケース部材３００は、閉止状態への変換時に挿入開口２００ａから収納空間Ｓ＊内へとスライド挿入される挿入部と、該挿入部及び制御基板が収納空間内に配置された状態で挿入開口を閉塞する開口閉塞部とを備え、閉止状態において挿入部（基板支持部（挿入部）３２０）の挿入先端部（前側部３２３）が前側壁２５０と隣接し、挿入端封止手段６００は、前側壁２５０の外面のうちの挿通口２５１に対応する位置に設けられた第１固着部（前第１固着部６１０）と、挿入先端部のうちの挿通口に対応する位置に設けられた第２固着部（前第２固着部６２０）と、前第１固着部６１０と前第２固着部６２０とに挿通されて、当該前第１固着部６１０と当該前第２固着部６２０とを固着するための固着部材（前固着部材６３０）と、を備え、前第２固着部６２０は、閉止状態において挿通口２５１から収納空間Ｓ＊の外部に突出して前第１固着部６１０と重合し、前固着部材６３０は、収納空間Ｓ＊の外部で重合した前第１固着部６１０と前第２固着部６２０とに挿通されて、当該前第１固着部６１０と当該前第２固着部６２０とを重合した状態で固着するよう構成されている。
【０１８８】
したがって、従来の封止手段によるセキュリティ機能を損ねることなく、新規な構造により基板ボックス１２０を封止することが可能となる。
【０１８９】
また、第１ケース部材２００の一側部に設けられた挿入開口２００ａに第２ケース部材３００の挿入部（基板支持部（挿入部）３２０）をスライド挿入することによって、当該挿入開口２００ａが第２ケース部材３００の開口閉塞部３１０で塞がれて収納空間Ｓ＊が閉止されるとともに、第２固着部が挿通口を介して収納空間部の外部に突出して第１固着部に重合するので、第１固着部と第２固着部との位置合わせが必要なくなる。また、第１ケース部材と第２ケース部材との接合部分に封止手段を設けなくて良いため、封止手段の配置の自由度が向上するし、接合部分の構造を必要以上に複雑にしないで済む。
したがって、基板ボックス１２０の組み付け作業を複雑にすることなく、遊技制御基板１１０への不正行為を十分に抑制することが可能となる。
【０１９０】
また、第１実施形態の遊技機１０によれば、第１固着部（前第１固着部６１０）は、挿通口２５１を覆うとともに、当該挿通口２５１から突出した第２固着部（前第２固着部６２０）を内包するよう構成されている。
【０１９１】
したがって、挿通口２５１が前第１固着部６１０によって覆われており、挿通口２５１から針金やピアノ線などを挿入することができないので、挿通口２５１を介した遊技制御基板１１０への不正アクセスを防止することができる。
また、閉止状態において前第１固着部６１０が前第２固着部６２０を内包するので、基板ボックス１２０を開封するためには前第１固着部６１０と前第２固着部６２０との両方を切断する必要がある。そのため、第１固着部と第２固着部とのうちの何れか一方のみを切断すれば良い場合と比較して、切断に伴い基板ボックス１２０の平面視外形が大きく変化するので、封止手段（挿入端封止手段６００）の破壊による基板ボックス１２０の不正開封を抑制できるとともに、封止手段（挿入端封止手段６００）の破壊による基板ボックス１２０の不正開封を発見し易くすることができる。
また、閉止状態において前第１固着部６１０が前第２固着部６２０を内包するので、基板ボックス１２０を開封するために、前第１固着部６１０と前第２固着部６２０との両方が切断されたとしても、挿通口２５１は前第２固着部６２０のうちの切断されなかった残りの部分（すなわち、前第２固着部６２０のうちの挿通口２５１内に配置されている部分）により塞がれる。そのため、前第１固着部６１０と前第２固着部６２０との両方が切断されたとしても、挿通口２５１から針金やピアノ線などを挿入することができないので、挿通口２５１を介した遊技制御基板１１０への不正アクセスを防止することができる。
【０１９２】
また、第１実施形態の遊技機１０によれば、固着部材（前固着部材６３０）は、収納空間Ｓ＊内に配置された制御基板（遊技制御基板１１０）の厚み方向と、第２ケース部材３００のスライド方向と、の双方に直交する方向に沿って、第１固着部（前第１固着部６１０）と第２固着部（前第２固着部６２０）とに挿通されている。
【０１９３】
したがって、前固着部材６３０が収納空間Ｓ＊内に配置された遊技制御基板１１０の厚み方向に直交する方向に沿って挿通されるので、固着部材が収納空間内に配置された遊技制御基板の厚み方向に沿って挿通される場合と比較して、封止手段が基板ボックスの厚み方向に分厚くならない。そのため、基板ボックス１２０の厚みを抑制することができるので、基板ボックス１２０の薄型化が可能となる。
【０１９４】
また、前固着部材６３０が第２ケース部材３００のスライド方向に直交する方向に沿って挿通されるので、固着部材が第２ケース部材のスライド方向に沿って挿通される場合と比較して、基板ボックス１２０の不正開封を抑制することができる。
すなわち、第２ケース部材３００を無理やり引き抜いて基板ボックス１２０を不正に開封しようとする際、第２ケース部材のスライド方向に沿って挿通された固着部材のみを備えている場合は、固着部材とねじ止め部との螺合力によってスライド方向への力に対して抵抗するので、固着部材とねじ止め部との螺合が緩んでしまう虞れがある。これに対し、第２ケース部材３００のスライド方向に直交する方向に沿って挿通された固着部材（前固着部材６３０）を備えている場合は、固着部材自身でスライド方向への力に対して抵抗するので、固着部材とねじ止め部との螺合が緩んでしまうことがない。したがって、第２ケース部材３００の引き抜きによる基板ボックス１２０の不正開封を抑制することができる。
【０１９５】
また、第１実施形態の遊技機１０によれば、電子部品１１１には、記憶された遊技プログラムに従って遊技の制御を行う遊技用マイクロコンピュータ（制御デバイス１１２）と、実装時の高さが当該制御デバイス１１２よりも低い面実装部品（その他の電子部品１１１）と、が含まれている。
【０１９６】
すなわち、遊技用マイクロコンピュータ（制御デバイス１１２）以外のその他の電子部品１１１が面実装部品である。そのため、基板ボックス１２０の厚みを抑制することができるので、基板ボックス１２０の薄型化が可能となる。
【０１９７】
〔第２実施形態〕
次に、第２実施形態の遊技機１０について説明する。
なお、第２実施形態においては、遊技制御装置１００が備える挿入端封止手段８００の構成が、第１実施形態の挿入端封止手段６００と異なる。したがって、以下、第１実施形態と同様の構成を有する部分については同じ符号を付して説明を省略し、主に異なる部分について説明する。
【０１９８】
第２実施形態の挿入端封止手段８００は、例えば図２７（ａ）、図２８（ａ）、図２９（ａ），（ｂ）に示すように、第１ケース部材２００及び第２ケース部材３００の前側端の左右二箇所に設けられており、それぞれ、第１ケース部材２００に設けられて、収納空間Ｓ＊内に配置された（閉止空間Ｓに収納された）遊技制御基板１１０の前側方に位置する前第１固着部８１０と、前第１固着部８１０に対応させて第２ケース部材３００に設けられて、収納空間Ｓ＊内に配置された（閉止空間Ｓに収納された）遊技制御基板１１０の前側方に位置する前第２固着部８２０と、前第１固着部８１０と前第２固着部８２０とに挿通されて、当該前第１固着部８１０と当該前第２固着部８２０とを固着するための前固着部材８３０，８３０と、を備えて構成される。
ここで、前固着部材８３０は、左固着部材４３０や右固着部材５３０と同様、一方向（螺合方向）にしか廻せないワンウェイねじであり、一旦螺合すると取り外すことができないよう構成されている。すなわち、前固着部材８３０は、前第１固着部８１０と前第２固着部８２０とをかしめるよう構成されている。
【０１９９】
前第２固着部８２０は、例えば図２８（ａ）に示すように、閉止状態において前第１固着部８１０と重合するよう、第２ケース部材３００の基板支持部（挿入部）３２０を構成する前側部３２３の外面（前面）から外側（前側）に向けて突設されている。
前述したように、基板支持部（挿入部）３２０の前後方向の長さは、収納空間Ｓ＊の前後方向の長さと略同一となるよう設定されているので、第２ケース部材３００は、閉止状態への変換時に挿入開口２００ａから収納空間Ｓ＊内へとスライド挿入されて、閉止状態において前側部３２３（挿入先端部）が第１ケース部材２００を構成する前側壁２５０（凹室奥側壁）と隣接するようになっている。前第２固着部８２０は、当該前側部３２３の外面のうちの、第１ケース部材２００が有する挿通口２５１に対応する位置に突設されており、閉止状態において挿通口２５１から収納空間Ｓ＊の外部に突出するよう構成されている。
【０２００】
具体的には、前第２固着部８２０は、例えば図２８（ｂ）に示すように、第２ケース部材３００に直接設けられた前第２内側固着部８２１と、前第２内側固着部８２１に設けられて、当該前第２内側固着部８２１よりも外側（前側）に位置する前第２外側固着部８２２と、前第２内側固着部８２１と前第２外側固着部８２２とを分離可能に連結する前第２脆弱部８２３と、を備えている。すなわち、前第２内側固着部８２１及び前第２外側固着部８２２は、前第２脆弱部８２３を介して、閉止空間Ｓに収納された（収納空間Ｓ＊内に配置された）遊技制御基板１１０の厚み方向（上下方向）に直交する方向（前後方向）に並んで配設されている。
そして、前第２内側固着部８２１のうちの閉止状態において収納空間Ｓ＊の外部に突出する部分と、前第２外側固着部８２２と、にはそれぞれ、前固着部材８３０の軸部を挿通可能なねじ孔が左右方向に沿って形成されている。すなわち、前第２固着部８２０には、前後方向に並ぶ二つのねじ孔が設けられている。
【０２０１】
また、前第２固着部８２０は、分離可能に第２ケース部材３００の前側部３２３に設けられている。
具体的には、例えば図２８（ｂ）に示すように、第２ケース部材３００の前側部３２３（基板上方支持部３２０ｂも含む）の左右二箇所それぞれには、所定の間隔をあけて二つの挿入側脆弱部Ｗ，Ｗが設けられており、当該二つの挿入側脆弱部Ｗ，Ｗの間に、前第２固着部８２０が設けられている。
なお、本実施形態では、一つの前第２固着部８２０につき二つの挿入側脆弱部Ｗを設けるよう構成したが、これに限ることはなく、前第２固着部８２０を第２ケース部材３００から分離可能とすることができるのであれば、挿入側脆弱部Ｗの個数は任意である。
【０２０２】
前第１固着部８１０は、例えば図２７（ａ）に示すように、第１ケース部材２００の前側壁２５０の外面（前面）から外側（前側）に向けて突設されている。
具体的には、前第１固着部８１０は、第１ケース部材２００を構成する前側壁２５０の外面のうちの挿通口２５１に対応する位置に設けられており、閉止状態において当該挿通口２５１から突出した前第２固着部８２０を内包するよう構成されている。
【０２０３】
前第１固着部８１０は、例えば図２７（ａ），（ｂ），（ｃ）に示すように、第１ケース部材２００に直接設けられた前第１内側固着部８１１と、前第１内側固着部８１１に設けられて、当該前第１内側固着部８１１よりも外側（前側）に位置する前第１外側固着部８１２と、第１ケース部材２００と前第１内側固着部８１１とを分離可能に連結する前第１内側脆弱部８１３と、前第１内側固着部８１１と前第１外側固着部８１２とを分離可能に連結する前第１外側脆弱部８１４と、を備えている。すなわち、前第１内側固着部８１１及び前第１外側固着部８１２は、前第１外側脆弱部８１４を介して、閉止空間Ｓに収納された遊技制御基板１１０の厚み方向（上下方向）に直交する方向（左右方向）に並んで配設されている。
【０２０４】
前第１固着部８１０は、例えば図２７（ｃ）に示すように、内部に挿通口２５１から突出した前第２固着部８２０を収容可能な空間が形成された収容部８１０ａを有している。
また、前第１内側固着部８１１は、内部に前固着部材８３０を挿通可能な貫通孔が左右方向に沿って形成された筒状部８１１ｂと、内部に前固着部材８３０を螺合するねじ止め部が左右方向に沿って形成されたねじ受部８１１ｃと、を有している。
また、前第１外側固着部８１２は、内部に前固着部材８３０を挿通可能な貫通孔が左右方向に沿って形成された筒状部８１２ｂと、内部に前固着部材８３０を螺合するねじ止め部が左右方向に沿って形成されたねじ受部８１２ｃと、を有している。
【０２０５】
ここで、前第１固着部８１０（具体的には、前第１内側固着部８１１）は、前第１内側脆弱部８１３を介して第１ケース部材２００に設けられているので、前第１内側固着部８１１を破壊する（すなわち、前第１内側固着部８１１を第１ケース部材２００から切り離す）ことは容易である。しかしながら、閉止状態においては前第１固着部８１０が前第２固着部８２０を内包した状態で前固着部材８３０が挿通しているので、基板ボックス１２０を開封するためには前第１内側固着部８１１と前第２内側固着部８２１との両方を切断する必要がある。
また、前第１内側固着部８１１と前第２内側固着部８２１との両方が切断されたとしても、挿通口２５１は、前第２内側固着部８２１のうちの切断されなかった残りの部分（すなわち、前第２内側固着部８２１のうちの挿通口２５１内に配置されている部分）により塞がれている。そのため、前第１内側固着部８１１と前第２内側固着部８２１との両方が切断されたとしても、挿通口２５１から針金やピアノ線などを挿入することはできないので、挿通口２５１を介した遊技制御基板１１０への不正アクセス等を回避することが可能となる。
【０２０６】
筒状部８１１ｂ，８１２ｂは、収容部８１０ａよりも外側（左側の前第１固着部８１０の場合は収容部８１０ａの左側、右側の前第１固着部８１０の場合は収容部８１０ａの右側）に位置している。そして、筒状部８１１ｂ，８１２ｂの内部には、前固着部材８３０が挿通可能な空間が形成されており、当該空間は、前固着部材８３０の頭部は通過不能で前固着部材８３０の軸部は通過可能なねじ孔を介して収容部８１０ａの内部（前第２固着部８２０を収容可能な空間）と連通されている。
また、ねじ受部８１１ｃ，８１２ｃは、収容部８１０ａよりも内側（左側の前第１固着部８１０の場合は収容部８１０ａの右側、右側の前第１固着部８１０の場合は収容部８１０ａの左側）に位置している。そして、ねじ受部８１１ｃ，８１２ｃの内部には、前固着部材８３０の頭部は通過不能で前固着部材８３０の軸部は通過可能な開口を有する前固着部材８３０用のねじ止め部が形成されており、当該ねじ止め部は、当該ねじ止め部の開口を介して収容部８１０ａの内部（前第２固着部８２０を収容可能な空間）と連通されている。
【０２０７】
そして、例えば図２９（ａ），（ｂ）に示すように、閉止状態において、前第１外側固着部８１２と前第２外側固着部８２２とは、当該前第１外側固着部８１２が有するねじ孔及びねじ止め部の開口と、当該前第２外側固着部８２２が有するねじ孔と、が対向する状態で重合し、前第１外側固着部８１２を構成する筒状部８１２ｂの開口した端部（左側の前第１固着部８１０の場合は筒状部８１２ｂの開口した左端部、右側の前第１固着部８１０の場合は筒状部８１２ｂの開口した右端部）から当該筒状部８１２ｂの内部（貫通孔）及び前第２外側固着部８２２が有するねじ孔に挿通した前固着部材８３０の先端部分を、前第１外側固着部８１２を構成するねじ受部８１２ｃが有するねじ止め部に螺合することによって、第１ケース部材２００と第２ケース部材３００とを離反不能に結合するよう構成されている。
【０２０８】
また、閉止状態において、前第１内側固着部８１１と前第２内側固着部８２１とは、当該前第１内側固着部８１１が有するねじ孔及びねじ止め部の開口と、当該前第２内側固着部８２１が有するねじ孔と、が対向する状態で重合し、前第１内側固着部８１１を構成する筒状部８１１ｂの開口した端部（左側の前第１固着部８１０の場合は筒状部８１１ｂの開口した左端部、右側の前第１固着部８１０の場合は筒状部８１１ｂの開口した右端部）から当該筒状部８１１ｂの内部（貫通孔）及び前第２内側固着部８２１が有するねじ孔に挿通した前固着部材８３０の先端部分を、前第１内側固着部８１１を構成するねじ受部８１１ｃが有するねじ止め部に螺合することによって、第１ケース部材２００と第２ケース部材３００とを離反不能に結合するよう構成されている。
ここで、本実施形態において、前第１内側固着部８１１及び前第２内側固着部８２１は、副固着部であるので、例えば図２９（ｂ）に示すように、主固着部である前第１外側固着部８１２及び前第２外側固着部８２２によって第１ケース部材２００と第２ケース部材３００とが結合されている際は、前第１内側固着部８１１を構成する筒状部８１１ｂの内部（貫通孔）及び前第２内側固着部８２１が有するねじ孔を挿通した前固着部材８３０の先端部分は、前第１内側固着部８１１を構成するねじ受部８１１ｃが有するねじ止め部には螺合（本締め）されず、前第１内側固着部８１１が有するねじ孔などに仮締めされた状態となっている。
【０２０９】
すなわち、前第２固着部８２０は、閉止状態において挿通口２５１から収納空間Ｓ＊の外部に突出して、前第１固着部８１０と重合（当接）するよう構成されている。
また、前固着部材８３０は、閉止状態において収納空間Ｓ＊内に配置された遊技制御基板１１０の厚み方向（上下方向）と、第２ケース部材３００のスライド方向（前後方向）と、の双方に直交する方向（左右方向）に沿って、収納空間Ｓ＊の外部で重合した前第１固着部８１０と前第２固着部８２０とに挿通されて、当該前第１固着部８１０と当該前第２固着部８２０とを重合した状態で固着するよう構成されている。
【０２１０】
ここで、本実施形態では、外側固着部（前第１外側固着部８１２及び前第２外側固着部８２２、左第１外側固着部４１２及び左第２外側固着部４２２、右第１外側固着部５１２及び右第２外側固着部５２２）が、第１ケース部材２００と第２ケース部材３００とを最初に結合するための主固着部となっており、内側固着部（前第１内側固着部８１１及び前第２内側固着部８２１、左第１内側固着部４１１及び左第２内側固着部４２１、右第１内側固着部５１１及び右第２内側固着部５２１）が、主固着部による結合の解除後に第１ケース部材２００と第２ケース部材３００とを再結合するための副固着部となっている。
【０２１１】
なお、本実施形態では、前第１内側脆弱部８１３を、前第１内側固着部８１１を構成する筒状部８１１ｂの上下方向中央よりも上側の所定位置と第１ケース部材２００のうちの当該上側の所定位置に対向する位置とを連結する左右方向に長尺な連結板と、前第１内側固着部８１１を構成する筒状部８１１ｂの上下方向中央よりも下側の所定位置と第１ケース部材２００のうちの当該下側の所定位置に対向する位置とを連結する左右方向に長尺な連結板と、収容部８１０ａの基端部と、によって構成したが、これに限ることはなく、前第１内側脆弱部８１３の位置で分離可能となるよう前第１内側固着部８１１と第１ケース部材２００とを連結できるのであれば、前第１内側脆弱部８１３の構成は任意である。
前第１外側脆弱部８１４についても同様に、その構成は任意である。
【０２１２】
また、本実施形態では、前第２脆弱部８２３を、前第２固着部８２０のうちの、前第２内側固着部８２１と前第２外側固着部８２２との境界部分の上下をＶ字状に切り欠くことによって構成したが、これに限ることはなく、前第２脆弱部８２３の位置で分離可能となるよう前第２内側固着部８２１と前第２外側固着部８２２とを連結できるのであれば、前第２脆弱部８２３の構成は任意である。
【０２１３】
また、本実施形態では、挿入側脆弱部Ｗを、第２ケース部材３００の基板支持部（挿入部）３２０に破線状の切れ込みを入れることによって構成したが、これに限ることはなく、前第２固着部８２０を分離可能に基板支持部（挿入部）３２０の前側部３２３に設けることができるのであれば、挿入側脆弱部Ｗの位置や構成は任意である。
【０２１４】
以上説明した第２実施形態の遊技機１０によれば、第１固着部（前第１固着部８１０）及び第２固着部（前第２固着部８２０）は、第１ケース部材２００と第２ケース部材３００とを最初に結合するための主固着部（前第１外側固着部８１２、前第２外側固着部８２２）と、主固着部による結合の解除後に第１ケース部材２００と第２ケース部材３００とを再結合するための副固着部（前第１内側固着部８１１、前第２内側固着部８２１）と、をそれぞれ備え、主固着部及び副固着部は、収納空間Ｓ＊内に配置された制御基板（遊技制御基板１１０）の厚み方向に直交する方向に並んで配設されている。
【０２１５】
したがって、主固着部及び副固着部は、収納空間Ｓ＊内に配置された遊技制御基板１１０の厚み方向に直交する方向に並んで配設されているので、主固着部及び副固着部といったように複数対の固着部を設けた場合であっても、封止手段（挿入端封止手段８００）が基板ボックス１２０の厚み方向に分厚くならない。そのため、基板ボックス１２０の厚みを抑制することができるので、基板ボックス１２０の薄型化が可能となる。
また、複数対の固着部（主固着部及び副固着部）は、収納空間Ｓ＊内に配置された遊技制御基板１１０から離間する外側方向に並んで配設されているので、収納空間内に配置された制御基板からの距離がほぼ一定となるように複数対の固着部が並んで配設されている場合（すなわち、左右方向に並んで配設されている場合）と比較して、一対の固着部（主固着部又は副固着部）の破壊に伴い基板ボックスの平面視外形が大きく変化する。そのため、封止手段の破壊による基板ボックス１２０の不正開封を抑制できるとともに、封止手段の破壊による基板ボックス１２０の不正開封を発見し易くすることができる。
【０２１６】
また、第２実施形態の遊技機１０によれば、第１固着部（前第１固着部８１０）及び第２固着部（前第２固着部８２０）は、主固着部（前第１外側固着部８１２、前第２外側固着部８２２）と副固着部（前第１内側固着部８１１、前第２内側固着部８２１）とを分離可能に連結する脆弱部（前第１外側脆弱部８１４、前第２脆弱部８２３）をそれぞれ備え、副固着部を閉止空間Ｓ寄りに配設するとともに、主固着部を脆弱部（前第１外側脆弱部８１４、前第２脆弱部８２３）を介して前記副固着部の外側に配設した。
【０２１７】
したがって、前第１固着部８１０及び前第２固着部８２０は、主固着部（前第１外側固着部８１２、前第２外側固着部８２２）と副固着部（前第１内側固着部８１１、前第２内側固着部８２１）とを分離可能に連結する脆弱部（前第１外側脆弱部８１４、前第２脆弱部８２３）を備えているので、主固着部である外側固着部が分離し易くなって、主固着部による結合を解除して基板ボックス１２０の検査開封する際の作業性が向上する。
また、主固着部は脆弱部（前第１外側脆弱部８１４、前第２脆弱部８２３）を介して副固着部の外側に設けられているので、副固着部を切断すると主固着部も第１ケース部材２００及び第２ケース部材３００から取れてしまう。したがって、誤って副固着部を切断してしまうと、副固着部による封止だけでなく、主固着部による封止も不可能となる。そのため、副固着部の切断による基板ボックス１２０の不正開封を抑制できるとともに、副固着部の切断による基板ボックス１２０の不正開封を発見し易くすることができる。
【０２１８】
また、第２実施形態の遊技機１０によれば、第２ケース部材３００は、遊技制御基板１１０を取り付けることが可能であるとともに、第２固着部（前第２固着部８２０）に対応させて挿入先端部（前側部３２３）に挿入側脆弱部Ｗが設けられ、第２固着部（前第２固着部８２０）は、挿入側脆弱部Ｗの破壊により挿入先端部（前側部３２３）から分離可能に構成されている。
【０２１９】
したがって、前第２固着部８２０は挿入端脆弱部Ｗの破壊により挿入先端部（前側部３２３）から分離可能に構成されているので、第２ケース部材３００を無理やり引き抜いて基板ボックス１２０を不正に開封しようとすると、挿入側脆弱部Ｗが破壊されて前第２固着部８２０が第２ケース部材３００から分離してしまう。そのため、第２ケース部材３００を無理やり引き抜いて基板ボックス１２０を不正に開封すると、その後、第２ケース部材３００に遊技制御基板１１０を適正に取り付けられなくなってしまう。そのため、第２ケース部材３００の引き抜きによる基板ボックス１２０の不正開封を抑制できるとともに、第２ケース部材３００の引き抜きによる基板ボックス１２０の不正開封を発見し易くすることができる。
【０２２０】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０２２１】
例えば、第１実施形態や第２実施形態では、遊技制御基板１１０の形状を矩形状としたが、これに限ることはなく、遊技制御基板１１０の形状は略四角形状であれば任意であり、例えば、正方形であっても良い。
【０２２２】
また、第１実施形態や第２実施形態では、第２ケース部材３００に遊技制御基板１１０を取り付けるよう構成したが、これに限ることはなく、収納空間Ｓ＊を画成する第１ケース部材２００に遊技制御基板１１０を取り付けるよう構成しても良い。
【０２２３】
また、第１実施形態や第２実施形態では、挿入開口２００ａを第１ケース部材２００の長手方向に沿った互いに対向する側部のうちの何れか一方に設けて、第１ケース部材２００に対して第２ケース部材３００を着脱する際、第１ケース部材２００の短手方向に沿って第２ケース部材３００をスライドさせるよう構成したが、これに限ることはなく、挿入開口２００ａを第１ケース部材２００の短手方向に沿った互いに対向する側部のうちの何れか一方に設けて、第１ケース部材２００に対して第２ケース部材３００を着脱する際、第１ケース部材２００の長手方向に沿って第２ケース部材３００をスライドさせるよう構成しても良い。この場合、挿入開口２００ａを第１ケース部材２００の長手方向に沿った互いに対向する側部のうちの何れか一方に設ける場合と比較して、第１ケース部材２００と第２ケース部材３００との接合部分が少なくなるので、遊技制御装置１００への不正行為を一層回避することができる。
【０２２４】
また、第１実施形態や第２実施形態では、挿入開口２００ａを第１ケース部材２００の側部（具体的には、左側部の一部（後部）、後側部及び右側部の一部（後部））から第１ケース部材２００の上部の一部（後部）にかけて開口するよう構成したが、これに限ることはなく、挿入開口２００ａは、第１ケース部材２００に対する第２ケース部材３００のスライド挿入が可能となるよう、第１ケース部材２００の少なくとも一側部に形成されていれば良く、例えば、第１ケース部材２００の後側部（第１ケース部材２００の長手方向に沿った互いに対向する側部のうちの前記何れか一方）から第１ケース部材２００の上部の一部にかけて開口するものであっても（すなわち、左側壁２３０及び右側壁２４０の前後方向の長さが下壁２１０の前後方向の長さと略同一となるよう構成しても）良いし、第１ケース部材２００の後側部のみに開口するものであっても（すなわち、上壁２２０、左側壁２３０及び右側壁２４０の前後方向の長さが下壁２１０の前後方向の長さと略同一となるよう構成しても）良い。
【０２２５】
また、第１実施形態及び第２実施形態では、係合受部を貫通孔（右第２外側固着部５２２の内部）によって構成するとともに、係合部を保護カバー部材７００の内面に形成されて当該貫通孔に嵌まる突起部（突起部７０２ａ）によって構成するようにしたが、これに限ることはなく、保護カバー部材７００と、第１固着部及び第２固着部と、のうちの何れか一方に、係合部が形成されているとともに、何れか他方に、当該係合部が係合する係合受部が形成されており、係合部が係合受部に係合することで保護カバー部材７００を当該第１固着部及び当該第２固着部に取り付けることができるのであれば、例えば、係合受部を保護カバー部材７００側に形成するとともに、係合部を第１固着部及び／又は第２固着部側に形成するよう構成しても良い。
【０２２６】
また、第１実施形態及び第２実施形態では、右側端封止手段５００に貼着領域Ｒを形成するとともに、右側端封止手段５００に保護カバー部材７００を取り付けるよう構成したが、これに限ることはなく、左側端封止手段４００を右側端封止手段５００のように長尺状に形成して、左側端封止手段４００に貼着領域Ｒを形成するとともに、左側端封止手段４００に保護カバー部材７００を取り付けるよう構成しても良い。この場合、右側端封止手段５００は長尺状に形成しなくても良い。
また、第２実施形態では、左右の挿入端封止手段８００のうちの何れか一方を右側端封止手段５００のように長尺状に形成して、当該何れか一方に貼着領域Ｒを形成するとともに、当該何れか一方に保護カバー部材７００を取り付けるよう構成しても良い。この場合、右側端封止手段５００は長尺状に形成しなくても良い。また、この場合、左側端封止手段４００及び／又は右側端封止手段５００の少なくとも外側固着部は備えられていなくても良い。
【０２２７】
また、左固着部材４３０、右固着部材５３０、前固着部材６３０，８３０を螺合するねじ止め部が内部に形成されたねじ受部（具体的には、左第１内側固着部４１１、左第２外側固着部４２２、右第１内側固着部５１１、右第１外側固着部５１２、前第１固着部６１０，８１０のねじ受部６１０ｃ，８１０ｃ）に、ナットとなるインサートパイプを内蔵させるよう構成しても良い。この場合、左固着部材４３０、右固着部材５３０、前固着部材６３０，８３０による固着を一層強固なものとすることが可能となる。
また、左固着部材４３０、右固着部材５３０、前固着部材６３０，８３０をワンウェイねじではなく、リベットのようなピン状の締結部材により構成しても良い。
【０２２８】
また、第１実施形態及び第２実施形態では、基板ボックス１２０を構成するケース部材として、第１ケース部材２００と、当該第１ケース部材２００にスライド挿入可能な第２ケース部材３００と、を採用したが、これに限ることはなく、封止手段の構成が上記した構成の何れかであれば、ケース部材の構成は任意であり、例えば、基板ボックス１２０を構成するケース部材として、上方に開口する下蓋と、下方に開口する上蓋と、を採用しても良い。
【０２２９】
また、本発明の遊技機は、上記実施形態に示されるようなパチンコ遊技機に限定されるものではなく、例えば、その他のパチンコ遊技機、アレンジボール遊技機、雀球遊技機などの遊技機を使用する全ての遊技機に適用可能である。
【符号の説明】
【０２３０】
１０  遊技機
１００  遊技制御装置（制御装置）
１１０  遊技制御基板（制御基板）
１１０ａ  表面
１１１  電子部品
１１２  制御デバイス（遊技用マイクロコンピュータ）
１１６  コネクタ
１２０  基板ボックス
１３０  電子タグシール
１３１  電子タグ
１３１ａ  チップ部
１３１ｂ  アンテナ部
２００  第１ケース部材
２００ａ  挿入開口
２２０  上壁
２５０  前側壁（奥側壁）
２５１  挿通口
３００  第２ケース部材
３１０  開口閉塞部
３１１  上方閉塞部
３１１ａ  当接部
３１１ｂ  下方支持部
３１１ｃ  上方支持部
３１２  コネクタ用開口
３１６  側方閉塞部
３２３  前側部（挿入先端部）
３３０  囲繞カバー部
４００  左側端封止手段（封止手段）
４１０  左第１固着部（第１固着部）
４１１  左第１内側固着部（内側固着部、副固着部）
４１２  左第１外側固着部（外側固着部、主固着部）
４１３  左第１脆弱部（脆弱部）
４２０  左第２固着部（第２固着部）
４２１  左第２内側固着部（内側固着部、副固着部）
４２２  左第２外側固着部（外側固着部、主固着部）
４２３  左第２脆弱部（脆弱部）
４３０  左固着部材（固着部材）
５００  右側端封止手段（封止手段）
５１０  右第１固着部（第１固着部）
５１１  右第１内側固着部（内側固着部、副固着部）
５１２  右第１外側固着部（外側固着部、主固着部）
５１３  右第１脆弱部（脆弱部）
５２０  右第２固着部（第２固着部）
５２１  右第２内側固着部（内側固着部、副固着部）
５２２  右第２外側固着部（外側固着部、主固着部）
５２３  右第２脆弱部（脆弱部）
５３０  右固着部材（固着部材）
６００  挿入端封止手段（封止手段）
６１０  前第１固着部（第１固着部）
６２０  前第２固着部（第２固着部）
６３０  前固着部材（固着部材）
７００  保護カバー部材
７０２ａ  突起部（係合部）
８００  挿入端封止手段（封止手段）
８１０  前第１固着部（第１固着部）
８１１  前第１内側固着部（内側固着部、副固着部）
８１２  前第１外側固着部（外側固着部、主固着部）
８１４  前第１外側脆弱部（脆弱部）
８２０  前第２固着部（第２固着部）
８２１  前第２内側固着部（内側固着部、副固着部）
８２２  前第２外側固着部（外側固着部、主固着部）
８２３  前第２脆弱部（脆弱部）
Ｇ１１，Ｇ１２  第１の間隙
Ｇ２１，Ｇ２２  第２の間隙
Ｒ  貼着領域
Ｓ＊  収納空間
Ｓ  閉止空間
【図１】
0005633098.tif 000002
【図２】
0005633098.tif 000003
【図３】
0005633098.tif 000004
【図４】
0005633098.tif 000005
【図５】
0005633098.tif 000006
【図６】
0005633098.tif 000007
【図７】
0005633098.tif 000008
【図８】
0005633098.tif 000009
【図９】
0005633098.tif 000010
【図１０】
0005633098.tif 000011
【図１１】
0005633098.tif 000012
【図１２】
0005633098.tif 000013
【図１３】
0005633098.tif 000014
【図１４】
0005633098.tif 000015
【図１５】
0005633098.tif 000016
【図１６】
0005633098.tif 000017
【図１７】
0005633098.tif 000018
【図１８】
0005633098.tif 000019
【図１９】
0005633098.tif 000020
【図２０】
0005633098.tif 000021
【図２１】
0005633098.tif 000022
【図２２】
0005633098.tif 000023
【図２３】
0005633098.tif 000024
【図２４】
0005633098.tif 000025
【図２５】
0005633098.tif 000026
【図２６】
0005633098.tif 000027
【図２７】
0005633098.tif 000028
【図２８】
0005633098.tif 000029
【図２９】
0005633098.tif 000030